(57)【特許請求の範囲】
【請求項１】
セルラー通信システム用のユーザ機器（ＵＥ）において実施される方法であって、
物理アップリンク共有チャネル（ＰＵＳＣＨ）上のＭｓｇ３送信のための時間領域リソース割り当ての指示を含むランダムアクセス応答（ＲＡＲ）メッセージを受信することと、
前記Ｍｓｇ３送信のために、前記時間領域リソース割り当ての指示および前記ＵＥに保存されたＰＵＳＣＨ表に基づいて、スロットオフセット値（Ｋ２）を決定することと、
前記スロットオフセット値（Ｋ２）と追加のスロットオフセット値との合計に相当する増加したスロットオフセット値に従って前記Ｍｓｇ３送信を送信することと
を含み、前記追加のスロットオフセット値が前記ＰＵＳＣＨのサブキャリア間隔に相当し、前記追加のスロットオフセット値が、物理ダウンリンク制御チャネル（ＰＤＣＣＨ）復号と比較して、ＲＡＲメッセージ復号に必要とされる追加の処理時間に関連して変化する、方法。
【請求項２】
前記ＰＵＳＣＨ表がシステム情報または上位層シグナリングによって設定される、請求項１に記載の方法。
【請求項３】
前記追加のスロットオフセット値が、前記ＰＵＳＣＨのアップリンクヌメロロジーにおける大きい方の直近のスロット数に丸められる、請求項１に記載の方法。
【請求項４】
前記追加のスロットオフセット値が次式によって規定され、
0006782373.tif 000029
ここで、Ｔａｄｄは前記追加の処理時間を表し、ＴＵＬ，ｓｔｏｔは前記ＰＵＳＣＨのアップリンクヌメロロジーに関するアップリンクスロットの期間を表し、前記増加したスロットオフセット値が次式となり、
Ｋ２，ｉｎｃｒｅａｓｅｄ＝Ｋ２＋ａｄｄｉｔｉｏｎａｌ＿ｓｌｏｔ＿ｏｆｆｓｅｔ
ここで、Ｋ２，ｉｎｃｒｅａｓｅｄは前記増加したスロットオフセット値を表し、Ｋ２は前記時間領域リソース割り当てに含まれる前記スロットオフセット値（Ｋ２）を表す、請求項３に記載の方法。
【請求項５】
前記追加のスロットオフセット値が、前記ＰＵＳＣＨのアップリンクヌメロロジーにおける小さい方の直近のスロット数に丸められる、請求項１に記載の方法。
【請求項６】
前記追加の処理時間（Ｔａｄｄ）が次式となり、
0006782373.tif 000030
ここで、Ｎ１は物理ダウンリンク共有チャネル（ＰＤＳＣＨ）復号時間であり、κ＝６４であり、μＵＬは前記ＰＵＳＣＨの前記アップリンクヌメロロジーであって、Ｔｃ＝１／（４０９６・４８０ｅ３）である、請求項３に記載の方法。
【請求項７】
前記追加の処理時間は、前記ＲＡＲメッセージがマッピングタイプＡを用いる短い物理ダウンリンク共有チャネル（ＰＤＳＣＨ）で送信されるかどうかということの関数である、請求項３に記載の方法。
【請求項８】
前記ＲＡＲメッセージが、ｉ番目のシンボルにおいて停止するマッピングタイプＡを用いて短い物理ダウンリンク共有チャネル（ＰＤＳＣＨ）で送信され、前記追加の処理時間（Ｔａｄｄ）が次式となり、
0006782373.tif 000031
ここで、Ｎ１は物理ダウンリンク共有チャネル（ＰＤＳＣＨ）復号時間であり、κ＝６４であり、μＵＬは前記ＰＵＳＣＨの前記アップリンクヌメロロジーであり、Ｔｃ＝１／（４０９６・４８０ｅ３）であって、ｄ１，３が
0006782373.tif 000032
となる、請求項３に記載の方法。
【請求項９】
前記追加の処理時間（Ｔａｄｄ）が次式となり、
0006782373.tif 000033
ここで、Ｎ１は物理ダウンリンク共有チャネル（ＰＤＳＣＨ）復号時間であり、κ＝６４であり、μＵＬは前記ＰＵＳＣＨの前記アップリンクヌメロロジーであり、Ｔｃ＝１／（４０９６・４８０ｅ３）であって、ｄ１，３は前記ＲＡＲメッセージを含んでいるＰＤＳＣＨの長さの関数である、請求項３に記載の方法。
【請求項１０】
前記ＵＥが２つ以上のセルに対して設定され、前記２つ以上のセル間の時間差がゼロよりも大きいものであり、
前記追加の処理時間（Ｔａｄｄ）が次式となり、
0006782373.tif 000034
ここで、Ｎ１は物理ダウンリンク共有チャネル（ＰＤＳＣＨ）復号時間であり、κ＝６４であり、μＵＬは前記ＰＵＳＣＨの前記アップリンクヌメロロジーであり、Ｔｃ＝１／（４０９６・４８０ｅ３）であって、ｄ１，２はセル間の最大の許容時間差を反映する値である、請求項３に記載の方法。
【請求項１１】
前記ＵＥが２つ以上のセルに対して設定され、前記２つ以上のセル間の時間差がゼロよりも大きいものであり、
前記追加の処理時間（Ｔａｄｄ）が次式となり、
0006782373.tif 000035
ここで、Ｎ１は物理ダウンリンク共有チャネル（ＰＤＳＣＨ）復号時間であり、κ＝６４であり、μＵＬは前記ＰＵＳＣＨのアップリンクヌメロロジーであり、Ｔｃ＝１／（４０９６・４８０ｅ３）であり、ｄ１，２はセル間の最大の許容時間差を反映する値であって、ｄ１，３は前記ＲＡＲメッセージを含んでいるＰＤＳＣＨの長さの関数である、請求項３に記載の方法。
【請求項１２】
セルラー通信システム用のユーザ機器（ＵＥ）であって、
無線フロントエンド回路および１つまたは複数のアンテナを備えるインターフェースと、
前記インターフェースに関連した処理回路と
を備え、前記処理回路の働きにより、前記ＵＥが、
物理アップリンク共有チャネル（ＰＵＳＣＨ）上のＭｓｇ３送信のための時間領域リソース割り当ての指示を含むランダムアクセス応答（ＲＡＲ）メッセージを受信し、
前記Ｍｓｇ３送信のために、前記時間領域リソース割り当ての指示および前記ＵＥに保存されたＰＵＳＣＨ表に基づいて、スロットオフセット値（Ｋ２）を決定し、
前記スロットオフセット値（Ｋ２）と追加のスロットオフセット値との合計に相当する増加したスロットオフセット値に従って前記Ｍｓｇ３送信を送信し、前記追加のスロットオフセット値が前記ＰＵＳＣＨのサブキャリア間隔に相当し、前記追加のスロットオフセット値が、物理ダウンリンク制御チャネル（ＰＤＣＣＨ）復号と比較して、ＲＡＲメッセージ復号に必要とされる追加の処理時間に関連して変化する、ＵＥ。
【請求項１３】
前記ＰＵＳＣＨ表がシステム情報または上位層シグナリングによって設定される、請求項１２に記載のＵＥ。
【請求項１４】
前記追加のスロットオフセット値が、前記ＰＵＳＣＨのアップリンクヌメロロジーにおける大きい方の直近のスロット数に丸められる、請求項１２に記載のＵＥ。
【請求項１５】
処理回路を備えるセルラー通信システム用の基地局であって、前記処理回路の働きにより、前記基地局が、
ユーザ機器（ＵＥ）にランダムアクセス応答（ＲＡＲ）メッセージを送信することであって、
前記ＲＡＲメッセージが、物理アップリンク共有チャネル（ＰＵＳＣＨ）上のＭｓｇ３送信のための時間領域リソース割り当ての指示を含み、
前記時間リソース割り当てが、前記ＰＵＳＣＨ上の前記Ｍｓｇ３送信のためのスロットオフセット値（Ｋ２）を含む、ＲＡＲメッセージを送信することと、
前記スロットオフセット値と前記ＰＵＳＣＨ上の前記Ｍｓｇ３送信のための追加のスロットオフセット値との合計に相当する増加したスロットオフセット値に従って、前記ＰＵＳＣＨ上で、前記ＵＥからのＭｓｇ３送信を受信することとを行い、前記追加のスロットオフセット値が前記ＰＵＳＣＨのサブキャリア間隔に相当し、前記追加のスロットオフセット値が、物理ダウンリンク制御チャネル（ＰＤＣＣＨ）復号と比較して、ＲＡＲメッセージ復号に必要とされる追加の処理時間に関連して変化する、セルラー通信システム用の基地局。
【請求項１６】
前記ＰＵＳＣＨ表がシステム情報または上位層シグナリングによって設定される、請求項１５に記載の基地局。
【請求項１７】
前記追加のスロットオフセット値が、前記ＰＵＳＣＨのアップリンクヌメロロジーにおける大きい方の直近のスロット数に丸められる、請求項１５に記載の基地局。
【請求項１８】
セルラー通信システム用の基地局において実施される方法であって、
ユーザ機器（ＵＥ）にランダムアクセス応答（ＲＡＲ）メッセージを送信することであって、
前記ＲＡＲメッセージが、物理アップリンク共有チャネル（ＰＵＳＣＨ）上のＭｓｇ３送信のための時間領域リソース割り当ての指示を含み、
前記時間リソース割り当てが、前記ＰＵＳＣＨ上の前記Ｍｓｇ３送信のためのスロットオフセット値（Ｋ２）を含む、ＲＡＲメッセージを送信することと、
前記スロットオフセット値と前記ＰＵＳＣＨ上の前記Ｍｓｇ３送信のための追加のスロットオフセット値との合計に相当する増加したスロットオフセット値に従って、前記ＰＵＳＣＨ上で、前記ＵＥからのＭｓｇ３送信を受信することと
を含み、前記追加のスロットオフセット値が前記ＰＵＳＣＨのサブキャリア間隔に相当し、前記追加のスロットオフセット値が、物理ダウンリンク制御チャネル（ＰＤＣＣＨ）復号と比較して、ＲＡＲメッセージ復号に必要とされる追加の処理時間に関連して変化する、方法。
【請求項１９】
前記ＰＵＳＣＨ表がシステム情報または上位層シグナリングによって設定される、請求項１８に記載の方法。
【請求項２０】
前記追加のスロットオフセット値が、前記ＰＵＳＣＨのアップリンクヌメロロジーにおける大きい方の直近のスロット数に丸められる、請求項１８に記載の方法。
【請求項２１】
前記追加のスロットオフセット値が次式によって規定され、
0006782373.tif 000036
ここで、Ｔａｄｄは前記追加の処理時間を表し、ＴＵＬ，ｓｔｏｔは前記ＰＵＳＣＨのアップリンクヌメロロジーに関するアップリンクスロットの期間を表し、前記増加したスロットオフセット値が次式となり、
Ｋ２，ｉｎｃｒｅａｓｅｄ＝Ｋ２＋ａｄｄｉｔｉｏｎａｌ＿ｓｌｏｔ＿ｏｆｆｓｅｔ
ここで、Ｋ２，ｉｎｃｒｅａｓｅｄは前記増加したスロットオフセット値を表し、Ｋ２は前記時間領域リソース割り当てに含まれる前記スロットオフセット値（Ｋ２）を表す、請求項１４に記載の方法。
【請求項２２】
前記追加のスロットオフセット値が、前記ＰＵＳＣＨのアップリンクヌメロロジーにおける小さい方の直近のスロット数に丸められる、請求項１２に記載の方法。
【請求項２３】
前記追加の処理時間（Ｔａｄｄ）が次式となり、
0006782373.tif 000037
ここで、Ｎ１は物理ダウンリンク共有チャネル（ＰＤＳＣＨ）復号時間であり、κ＝６４であり、μＵＬは前記ＰＵＳＣＨの前記アップリンクヌメロロジーであって、Ｔｃ＝１／（４０９６・４８０ｅ３）である、請求項１４に記載の方法。
【請求項２４】
前記追加の処理時間は、前記ＲＡＲメッセージがマッピングタイプＡを用いる短い物理ダウンリンク共有チャネル（ＰＤＳＣＨ）で送信されるかどうかということの関数である、請求項１４に記載の方法。
【請求項２５】
前記ＲＡＲメッセージが、ｉ番目のシンボルにおいて停止するマッピングタイプＡを用いて短い物理ダウンリンク共有チャネル（ＰＤＳＣＨ）で送信され、前記追加の処理時間（Ｔａｄｄ）が次式となり、
0006782373.tif 000038
ここで、Ｎ１は物理ダウンリンク共有チャネル（ＰＤＳＣＨ）復号時間であり、κ＝６４であり、μＵＬは前記ＰＵＳＣＨの前記アップリンクヌメロロジーであり、Ｔｃ＝１／（４０９６・４８０ｅ３）であって、ｄ１，３が
0006782373.tif 000039
となる、請求項１４に記載の方法。
【請求項２６】
前記追加の処理時間（Ｔａｄｄ）が次式となり、
0006782373.tif 000040
ここで、Ｎ１は物理ダウンリンク共有チャネル（ＰＤＳＣＨ）復号時間であり、κ＝６４であり、μＵＬは前記ＰＵＳＣＨの前記アップリンクヌメロロジーであり、Ｔｃ＝１／（４０９６・４８０ｅ３）であって、ｄ１，３は前記ＲＡＲメッセージを含んでいるＰＤＳＣＨの長さの関数である、請求項１４に記載の方法。
【請求項２７】
前記ＵＥが２つ以上のセルに対して設定され、前記２つ以上のセル間の時間差がゼロよりも大きいものであり、
前記追加の処理時間（Ｔａｄｄ）が次式となり、
0006782373.tif 000041
ここで、Ｎ１は物理ダウンリンク共有チャネル（ＰＤＳＣＨ）復号時間であり、κ＝６４であり、μＵＬは前記ＰＵＳＣＨの前記アップリンクヌメロロジーであり、Ｔｃ＝１／（４０９６・４８０ｅ３）であって、ｄ１，２はセル間の最大の許容時間差を反映する値である、請求項１４に記載の方法。
【発明の詳細な説明】
【技術分野】
【０００１】
関連出願の相互参照
本出願は、２０１８年４月１６日出願の米国特許仮出願第６２／６５８，５３５号の利益を主張するものであり、その開示の全体が参照によってここで本明細書に組み込まれる。
【０００２】
開示される主題は、一般に遠隔通信に関するものである。より詳細には、ある実施形態は、初期のアクセスプロシージャのための制御チャネル設計などの概念に関するものである。
【背景技術】
【０００３】
第３世代パートナーシッププロジェクト（３ＧＰＰ）の第５世代（５Ｇ）技術仕様（ＴＳ）の３８．２１４のＶ１５．１．０に説明されているように、３ＧＰＰ新無線（ＮＲ）に関する物理アップリンク共有チャネル（ＰＵＳＣＨ）の時間領域リソース割り当ては、ダウンリンク制御情報（ＤＣＩ）のスケジューリングで指示される。ＤＣＩでは、４ビットを用いて、１６の設定された時間領域リソース割り当て設定から１つの時間領域リソース割り当てエントリを選択する。これら１６の時間領域リソース割り当て設定は、３ＧＰＰのＴＳ  ３８．２１４のＶ１５．１．０において表ｐｕｓｃｈ−ｓｙｍｂｏｌＡｌｌｏｃａｔｉｏｎと称され、本明細書ではより一般的にＰＵＳＣＨ表と称される、設定された表に含まれている。各設定がもたらすスロットオフセット値（Ｋ２）は、時間領域リソース割り当てが有効なスロット集合のためのスロットまたは開始スロットを、ＤＣＩを受信するスロットに対して指示する。加えて、ＰＵＳＣＨ表はまた、スロットの内部のシンボル割り当ておよび復調用参照信号（ＤＭ−ＲＳ）マッピングタイプをもたらし、ＤＭ−ＲＳマッピングタイプはタイプＡまたはタイプＢであり得る。システム情報ブロック１（ＳＩＢ１）によって上書きされ得るデフォルトのＰＵＳＣＨ表が存在する。ユーザ機器（ＵＥ）は、一旦、専用の設定を得ると、専用の無線リソース制御（ＲＲＣ）シグナリングを用いてもう一つのＰＵＳＣＨ表を受信することができる。
【０００４】
ＮＲでは、アップリンク送信はタイミングアドバンスされる。ＵＥは、一部はランダムアクセス中に、一部は時間整合プロシージャ中に、ＵＥのアップリンク送信を前進させるタイミングアドバンス（ＴＡ）値を受信する。初期のアクセス中に受信されるＴＡ値はダウンリンクタイミングに対するものであり、時間整合プロシージャの一部分として受信されるＴＡ値は最後のアップリンク送信に対するものである。ＵＥによって適用される合計のＴＡ値は、すべての受信されたＴＡ値の累積的な合計である。直交周波数分割多元接続（ＯＦＤＭＡ）システムでは、ＵＥ間の直交性を維持するために、サーブされたＵＥからのアップリンク送信が基地局に到着するとき時間整合することを保証するのにＴＡが必要とされる。
【０００５】
ＮＲでは、ＰＵＳＣＨ送信に関するアップリンク許可において規定される時間領域リソース割り当ては、基地局（すなわちＮＲ基地局（ｇＮＢ））のタイミングで、すなわちタイミングアドバンスなしで規定される。アップリンク許可に含まれる時間領域リソース割り当て（すなわちスロットの内部の開始シンボルを加えたスロットオフセットＫ２）は、アップリンク許可が送信されるダウンリンクスロットに対するＰＵＳＣＨ開始を規定する。
【０００６】
ＵＥにおいて、アップリンク許可が受信されたときのダウンリンクスロットの開始と、アップリンク送信の開始時間の間の時間は、指示された時間からＴＡ値を引くことによって与えられる。ＵＥは、アップリンク許可を復号してアップリンク送信を準備するために、最小限の処理時間を必要とする。この時間はＮＲ規格に与えられており、以下の表１の値に基づくものである。以下の表におけるパラメータμは、サブキャリア間隔とも称されるヌメロロジー（μ＝１：１５ｋＨｚ、μ＝２：３０ｋＨｚ、μ＝３：６０ｋＨｚ、μ＝４：１２０ｋＨｚ）を指示する。アップリンクとダウンリンクが異なるヌメロロジー（すなわち、異なるサブキャリア間隔を意味する異なるμ値）を有する場合、より小さいμ値が使用される。最小限の処理時間は、表のＰＵＳＣＨ準備時間（Ｎ２）値に基づいて以下のように決定される。
0006782373.tif 000002
ここで、
・Ｎ２：表１のＰＵＳＣＨ準備時間
・ｄ２，１：ＰＵＳＣＨ割り当ての第１のシンボルがＤＭ−ＲＳのみから成る場合にはｄ２，１＝０であり、そうでなければｄ２，１＝１である。
・ｄ２，２：異なるコンポーネントキャリアが設定されて、ゼロよりも大きい時間差を有し得る場合には、コンポーネントキャリア間の時間差を反映する。そうでなければゼロである。
・κ＝６４
・Ｔｃ＝１／（４０９６・４８０ｅ３）
ＵＥがＴＡ値を適用した後に、シグナリングされた時間領域リソース割り当てがＵＥにおける十分な処理時間を許容することを確認するのは、基地局（すなわちｇＮＢ）の責務である。
表１：ＰＵＳＣＨタイミング能力１のためのＰＵＳＣＨ準備時間。能力１は基本的な処理能力を指す。
0006782373.tif 000003
【０００７】
ランダムアクセスプロシージャ中の第１の時間整合したＰＵＳＣＨ送信はＭｓｇ３と称され、ＤＣＩではアップリンク許可は与えられない（すなわち、物理ダウンリンク制御チャネル（ＰＤＣＣＨ）では与えられない）。むしろ、Ｍｓｇ３向けのアップリンク許可は、物理ダウンリンク共有チャネル（ＰＤＳＣＨ）においてシグナリングされるＭｓｇ２（すなわちランダムアクセス応答（ＲＡＲ）メッセージ）で与えられる。ＰＤＳＣＨはＰＤＣＣＨよりも復号するのが複雑である。
【０００８】
ＰＤＳＣＨタイミングは、以下の表２の値に基づいて、以下の式によって決定される。
0006782373.tif 000004
ここで、
・Ｎ１：表２のＰＤＳＣＨ処理時間
・ｄ１，１：肯定応答／否定応答（ＡＣＫ／ＮＡＣＫ）がＰＵＣＣＨ上で送信される場合にはｄ１，１＝０である。ＡＣＫ／ＮＡＣＫがＰＵＳＣＨ上で送信される場合にはｄ１，１＝１である。
・ｄ１，２：異なるコンポーネントキャリアが設定されて、ゼロよりも大きい時間差を有し得る場合には、コンポーネントキャリア間の時間差を反映する。そうでなければゼロである。
・ｄ１，３：ＰＤＳＣＨタイプＡのみに関し、ｉ番目（ｉ＜７）のシンボルにおいて終了し、ｄ１，３＝７−ｉであり、そうでなければｄ１，３＝０である。これは、短いＰＤＳＣＨは、完成された後に、復号を完成するのに、より長いＰＤＳＣＨよりも少し長い時間を必要とするという事実を反映する。
・κ＝６４
・Ｔｃ＝１／（４０９６・４８０ｅ３）
表２：ＰＤＳＣＨ処理能力１のためのＰＤＳＣＨ処理時間。能力１は基本的な処理能力を指す。ＮＲのＲｅｌ−１５がより高度の（より速い）処理能力を規定するかどうかは不明瞭である。
0006782373.tif 000005
【０００９】
したがって、Ｍｓｇ３のＰＵＳＣＨの最小限の処理時間は、メディアアクセス制御（ＭＡＣ）および層１におけるＰＤＳＣＨ復号のための追加の処理を考慮に入れる必要があるので、通常のＰＵＳＣＨの処理時間よりも長い。したがって、Ｍｓｇ３のＰＵＳＣＨに関する最小限の処理時間は次式で与えられる。
0006782373.tif 000006
値Ｎ１は表２からのものであり、追加のＤＭ−ＲＳが設定されている。層２の処理を反映するために０．５ミリ秒が付加されている。
【００１０】
したがって、ＰＵＳＣＨ上で受信されたＭｓｇ３送信のためのアップリンク許可を復号するのに必要なより長い処理時間を反映する、ＰＤＳＣＨ上のＭｓｇ３送信のための時間領域リソース割り当てをシグナリングする必要がある。
【発明の概要】
【００１１】
ランダムアクセスプロシージャにおけるＭｓｇ３送信用の時間領域リソース割り当てのためのシステムおよび方法が開示される。いくつかの実施形態では、セルラー通信システムのためにユーザ機器（ＵＥ）において実施される方法は、物理アップリンク共有チャネル（ＰＵＳＣＨ）上のＭｓｇ３送信のための時間領域リソース割り当ての指示を含むランダムアクセス応答（ＲＡＲ）メッセージを受信することと、Ｍｓｇ３送信のために、時間領域リソース割り当ての指示およびＰＵＳＣＨ表に基づいて、スロットオフセット値（Ｋ２）を決定することとを含む。この方法は、Ｍｓｇ３送信のための追加のスロットオフセット値をスロットオフセット値（Ｋ２）に加算して、Ｍｓｇ３用の増加したスロットオフセット値をもたらすことと、増加したスロットオフセット値に従ってＭｓｇ３送信を送信することとをさらに含む。このように、ＰＵＳＣＨ送信のための時間領域リソース割り当て設定を規定するＰＵＳＣＨ表は、Ｍｓｇ３時間領域リソース割り当てのために再利用され得る。
【００１２】
いくつかの実施形態では、追加のスロットオフセット値は、ＰＵＳＣＨのサブキャリア間隔の関数である。
【００１３】
いくつかの実施形態では、ＰＵＳＣＨ表は、システム情報または上位層シグナリングによって設定される。
【００１４】
いくつかの実施形態では、追加のスロットオフセット値は、物理ダウンリンク制御チャネル（ＰＤＣＣＨ）復号と比較して、ＲＡＲメッセージ復号に必要とされ、ＰＵＳＣＨのアップリンクヌメロロジーにおける大きい方の直近のスロット数に丸められる、追加の処理時間に関連して変化する。いくつかの実施形態では、追加のスロットオフセット値は次式によって規定され、
0006782373.tif 000007
ここで、Ｔａｄｄは追加の処理時間を表し、ＴＵＬ，ｓｌｏｔはＰＵＳＣＨのアップリンクヌメロロジーに関するアップリンクスロットの期間を表し、増加したスロットオフセット値は次式となり、
Ｋ２，ｉｎｃｒｅａｓｅｄ＝Ｋ２＋ａｄｄｉｔｉｏｎａｌ＿ｓｌｏｔ＿ｏｆｆｓｅｔ
ここで、Ｋ２，ｉｎｃｒｅａｓｅｄは増加したスロットオフセット値を表し、Ｋ２は時間領域リソース割り当てに含まれるスロットオフセット値（Ｋ２）を表す。
【００１５】
いくつかの実施形態では、追加のスロットオフセット値は、ＰＤＣＣＨ復号と比較して、ＲＡＲメッセージ復号に必要とされ、前記ＰＵＳＣＨのアップリンクヌメロロジーにおける小さい方の直近のスロット数に丸められる、追加の処理時間に関連して変化する。
【００１６】
いくつかの実施形態では、追加の処理時間（Ｔａｄｄ）は次式となり、
0006782373.tif 000008
ここで、Ｎ１は物理ダウンリンク共有チャネル（ＰＤＳＣＨ）復号時間であり、κ＝６４であり、μＵＬはＰＵＳＣＨのアップリンクヌメロロジーであって、Ｔｃ＝１／（４０９６・４８０ｅ３）である。
【００１７】
いくつかの実施形態では、追加の処理時間は、ＲＡＲが、マッピングタイプＡを用いる短いＰＤＳＣＨで送信されるかどうか、の関数である。当業者には理解されるように、短いＰＤＳＣＨはｉ番目（ｉ＜７）のシンボルにおいて停止するＰＤＳＣＨであることに留意されたい。
【００１８】
いくつかの実施形態では、ＲＡＲは、ｉ番目のシンボルにおいて停止するマッピングタイプＡを用いて短いＰＤＳＣＨで送信され、追加の処理時間（Ｔａｄｄ）は次式となり、
0006782373.tif 000009
ここで、Ｎ１はＰＤＳＣＨ復号時間であり、κ＝６４であり、μＵＬはＰＵＳＣＨのアップリンクヌメロロジーであり、Ｔｃ＝１／（４０９６・４８０ｅ３）であって、ｄ１，３は次式となる。
0006782373.tif 000010
【００１９】
いくつかの実施形態では、追加の処理時間（Ｔａｄｄ）は次式となり、
0006782373.tif 000011
ここで、Ｎ１はＰＤＳＣＨ復号時間であり、κ＝６４であり、μＵＬはＰＵＳＣＨのアップリンクヌメロロジーであり、Ｔｃ＝１／（４０９６・４８０ｅ３）であって、ｄ１，３はＲＡＲメッセージを含んでいるＰＤＳＣＨの長さの関数である。
【００２０】
いくつかの実施形態では、ＵＥは、セル間の時間差がゼロよりも大きいものであり得る２つ以上のセルに対して設定され、追加の処理時間（Ｔａｄｄ）は次式となり、
0006782373.tif 000012
ここで、Ｎ１はＰＤＳＣＨ復号時間であり、κ＝６４であり、μＵＬはＰＵＳＣＨのアップリンクヌメロロジーであり、Ｔｃ＝１／（４０９６・４８０ｅ３）であって、ｄ１，２はセル間の最大の許容時間差を反映する値である。
【００２１】
いくつかの実施形態では、ＵＥは、セル間の時間差がゼロよりも大きいものであり得る２つ以上のセルに対して設定され、追加の処理時間（Ｔａｄｄ）は次式となり、
0006782373.tif 000013
ここで、Ｎ１はＰＤＳＣＨ復号時間であり、κ＝６４であり、μＵＬはＰＵＳＣＨのアップリンクヌメロロジーであり、Ｔｃ＝１／（４０９６・４８０ｅ３）であり、ｄ１，２はセル間の最大の許容時間差を反映する値であって、ｄ１，３はＲＡＲメッセージを含んでいるＰＤＳＣＨの長さの関数である。
【００２２】
いくつかの実施形態では、ＲＡＲメッセージを受信することは基地局からＲＡＲメッセージを受信することを含み、この方法は、ユーザデータを供給することと、ユーザデータを、基地局に送信することによってホストコンピュータに転送することとをさらに含む。
【００２３】
セルラー通信システム用のＵＥの実施形態も開示される。いくつかの実施形態では、セルラー通信システム用のＵＥは、ＰＵＳＣＨ上のＭｓｇ３送信のための時間領域リソース割り当ての指示を含むＲＡＲメッセージを受信し、Ｍｓｇ３送信のために、時間領域リソース割り当ての指示およびＰＵＳＣＨ表に基づいて、スロットオフセット値（Ｋ２）を決定し、Ｍｓｇ３送信のための追加のスロットオフセット値をスロットオフセット値（Ｋ２）に加算して、Ｍｓｇ３用の増加したスロットオフセット値をもたらし、増加したスロットオフセット値に従ってＭｓｇ３送信を送信するように適合されている。
【００２４】
いくつかの実施形態では、セルラー通信システム用のＵＥが備えるインターフェースは、無線フロントエンド回路と、１つまたは複数のアンテナと、インターフェースに関連した処理回路とを備え、処理回路の働きにより、ＵＥが、ＰＵＳＣＨ上のＭｓｇ３送信のための時間領域リソース割り当ての指示を含んでいるＲＡＲメッセージを受信し、Ｍｓｇ３送信のために、時間領域リソース割り当ての指示およびＰＵＳＣＨ表に基づいて、スロットオフセット値（Ｋ２）を決定し、Ｍｓｇ３送信のための追加のスロットオフセット値をスロットオフセット値（Ｋ２）に加算して、Ｍｓｇ３用の増加したスロットオフセット値をもたらし、増加したスロットオフセット値に従ってＭｓｇ３送信を送信する。
【００２５】
いくつかの実施形態では、セルラー通信システム用のＵＥは、ＰＵＳＣＨ上のＭｓｇ３送信のための時間領域リソース割り当ての指示を含んでいるＲＡＲメッセージを受信するように動作可能な受信ユニットと、Ｍｓｇ３送信のために、時間領域リソース割り当ての指示およびＰＵＳＣＨ表に基づいて、スロットオフセット値（Ｋ２）を決定し、Ｍｓｇ３送信のための追加のスロットオフセット値をスロットオフセット値（Ｋ２）に加算して、Ｍｓｇ３用の増加したスロットオフセット値をもたらすように動作可能な加算ユニットと、増加したスロットオフセット値に従ってＭｓｇ３送信を送信するように動作可能な通信ユニットとを備える。
【００２６】
セルラー通信システム用の基地局において実施される方法の実施形態も開示される。いくつかの実施形態では、セルラー通信システム用の基地局において実施される方法は、ＵＥにＲＡＲメッセージを送信することを含み、ＲＡＲメッセージは、ＰＵＳＣＨ上のＭｓｇ３送信のための時間領域リソース割り当ての指示を含み、時間リソース割り当ては、ＰＵＳＣＨ上のＭｓｇ３送信のためのスロットオフセット値（Ｋ２）を含む。この方法は、スロットオフセット値とＰＵＳＣＨ上のＭｓｇ３送信のための追加のスロットオフセット値との合計である増加したスロットオフセット値に従って、ＰＵＳＣＨ上で、ＵＥからのＭｓｇ３送信を受信することをさらに含む。
【００２７】
セルラー通信システム用の基地局の実施形態も開示される。いくつかの実施形態では、セルラー通信システム用の基地局は、ＵＥにＲＡＲメッセージを送信するように適合されており、ＲＡＲメッセージは、ＰＵＳＣＨ上のＭｓｇ３送信のための時間領域リソース割り当ての指示を含み、時間リソース割り当ては、ＰＵＳＣＨ上のＭｓｇ３送信のためのスロットオフセット値（Ｋ２）を含む。基地局は、スロットオフセット値とＰＵＳＣＨ上のＭｓｇ３送信のための追加のスロットオフセット値との合計である増加したスロットオフセット値に従って、ＰＵＳＣＨ上で、ＵＥからのＭｓｇ３送信を受信するようにさらに適合されている。
【００２８】
いくつかの実施形態では、セルラー通信システム用の基地局が備える処理回路の働きにより、基地局がＵＥにＲＡＲメッセージを送信し、ＲＡＲメッセージは、ＰＵＳＣＨ上のＭｓｇ３送信のための時間領域リソース割り当ての指示を含み、時間リソース割り当ては、ＰＵＳＣＨ上のＭｓｇ３送信のためのスロットオフセット値（Ｋ２）を含む。処理回路のさらなる働きにより、基地局が、スロットオフセット値とＰＵＳＣＨ上のＭｓｇ３送信のための追加のスロットオフセット値との合計である増加したスロットオフセット値に従って、ＰＵＳＣＨ上で、ＵＥからのＭｓｇ３送信を受信する。
【００２９】
いくつかの実施形態では、セルラー通信システム用の基地局が備える送信ユニットは、ＵＥにＲＡＲメッセージを送信するように動作可能であり、ＲＡＲメッセージは、ＰＵＳＣＨ上のＭｓｇ３送信のための時間領域リソース割り当ての指示を含み、時間リソース割り当ては、ＰＵＳＣＨ上のＭｓｇ３送信のためのスロットオフセット値（Ｋ２）を含む。基地局がさらに備える受信ユニットは、スロットオフセット値とＰＵＳＣＨ上のＭｓｇ３送信のための追加のスロットオフセット値との合計である増加したスロットオフセット値に従って、ＰＵＳＣＨ上で、ＵＥからのＭｓｇ３送信を受信するように動作可能である。
【００３０】
図面は、開示された主題の選択された実施形態を図解するものである。図面では、類似の参照ラベルは類似の機構を表す。
【図面の簡単な説明】
【００３１】
【図１】本開示のいくつかの実施形態による無線デバイスおよび無線アクセスノードを示す図である。
【図２】本開示のいくつかの実施形態による無線デバイスおよび図１の無線アクセスノードの動作を示す図である。
【図３】本開示のいくつかの実施形態による無線ネットワークを示す図である。
【図４】本開示のいくつかの実施形態によるユーザ機器（ＵＥ）を示す図である。
【図５】本開示のいくつかの実施形態による仮想化環境を示す図である。
【図６】本開示のいくつかの実施形態による、中間ネットワークを介してホストコンピュータに接続された遠隔通信ネットワークを示す図である。
【図７】本開示のいくつかの実施形態による、部分的無線接続を通じて、基地局を介してＵＥと通信するホストコンピュータを示す図である。
【図８】本開示のいくつかの実施形態による、ホストコンピュータ、基地局、およびＵＥを含んでいる通信システムにおいて実施される方法を示す図である。
【図９】本開示のいくつかの実施形態による、ホストコンピュータ、基地局、およびＵＥを含んでいる通信システムにおいて実施される方法を示す図である。
【図１０】本開示のいくつかの実施形態による、ホストコンピュータ、基地局、およびＵＥを含んでいる通信システムにおいて実施される方法を示す図である。
【図１１】本開示のいくつかの実施形態による、ホストコンピュータ、基地局、およびＵＥを含んでいる通信システムにおいて実施される方法を示す図である。
【図１２】本開示のいくつかの実施形態による仮想化装置を示す図である。
【図１３】本開示のいくつかの実施形態による方法を示す図である。
【発明を実施するための形態】
【００３２】
次に、添付図面を参照しながら、本明細書で企図された実施形態のうちのいくつかをより十分に説明する。しかしながら、他の実施形態は、本明細書で開示される主題の範囲内に含まれており、開示される主題は、本明細書で明らかにされる実施形態のみに限定されるように解釈されるべきではなく、むしろ、これらの実施形態は、主題の範囲を当業者に示唆するために例として提供されるものである。付加情報は、本明細書の補遺において提供される任意の文献の中にも見出され得る。
【００３３】
一般に、本明細書で使用されるすべての用語は、使用されている状況から、異なる意味が明瞭に示されるおよび／または示唆されることがなければ、関連する技術分野における通常の意味に従って解釈されるべきである。１つの（ａ）／１つの（ａｎ）／その（ｔｈｅ）要素、装置、構成要素、手段、ステップなどに対するすべての参照は、別様に明白に指定されなければ、要素、装置、構成要素、手段、ステップなどのうちの少なくとも１つを参照するように、オープンに解釈されるべきである。本明細書で開示される任意の方法のステップは、別のステップに後続する、または先行するものと明示的に記述された場合、および／または別のステップに後続するかもしくは先行することが絶対的である場合を除けば、開示された正確な順番で実施する必要はない。本明細書で開示された任意の実施形態の任意の機能が、適切ならどこでも任意の他の実施形態に適用され得る。同様に、任意の実施形態の任意の利点が、任意の他の実施形態に当てはまり得、逆も同様である。同封の実施形態の他の目的、機能および利点が、以下の説明から明白になるはずである。
【００３４】
本明細書では、ある概念が、特定の技術分野または規格を参照しながら、かつ／またはそれらの分野または規格に適用可能な言語を使用して、説明されることがある。たとえば、特定の実施形態は、Ｌｏｎｇ  Ｔｅｒｍ  Ｅｖｏｌｕｔｉｏｎ（ＬＴＥ）の状況で理解されるように、セル、サブフレーム／スロット、チャネルなどを参照しながら、あるいは第３世代パートナーシッププロジェクト（３ＧＰＰ）新無線（ＮＲ）の状況で理解されるように、ビーム、スロット／ミニスロット、チャネルなどを参照しながら説明されることがある。それにもかかわらず、別様に指示されなければ、説明された概念はより広く適用可能であり得、いかなるそのような分野、規格、言語などによっても限定されることはない。
【００３５】
物理ダウンリンク共有チャネル（ＰＤＳＣＨ）上で受信される（すなわちランダムアクセス応答（ＲＡＲ）メッセージによって受信される）Ｍｓｇ３送信のためのそれぞれのアップリンク許可を復号するのに必要な、より長い処理時間を反映するための物理アップリンク共有チャネル（ＰＵＳＣＨ）上でのＭｓｇ３送信のための時間領域リソース割り当て用のシステムおよび方法が本明細書で開示される。開示される主題のある実施形態では、Ｍｓｇ３向けの時間領域リソース割り当てには通常のＰＵＳＣＨ表が使用されるが、Ｍｓｇ２送信によってＭｓｇ３送信をスケジューリングするのに使用される場合にはオフセットが加算される。
【００３６】
開示される主題のある実施形態は、以下の例など、従来の技法および技術に関連した短所を認めて提示される。これまでのところ、３ＧＰＰの第５世代（５Ｇ）ＮＲが専用のＭｓｇ３時間領域リソース割り当て表を設定する、または規定するべきか、あるいは通常のＰＵＳＣＨ表が再利用されるべきか、といったことは裁定されていない。本開示の実施形態により、Ｍｓｇ３時間領域リソース割り当てと通常のＰＵＳＣＨ時間領域リソース割り当ての両方に同一のＰＵＳＣＨ表を再利用することが可能になる。
【００３７】
開示される実施形態のある実施形態は、従来の技法および技術と比較して、以下の例などの潜在的利益を提供し得るものである。ある実施形態では、ＰＵＳＣＨ表は１つだけ設定すればよく、それによってシグナリングオーバヘッドを低減する。
【００３８】
本開示のいくつかの実施形態では、ＰＵＳＣＨおよびＭｓｇ３のために、単一の時間領域リソース割り当て表がシグナリングされるかまたは設定される。Ｍｓｇ３用の時間領域リソース割り当て表は、Ｍｓｇ２でシグナリングされるときには、シグナリングされたまたは設定されたＰＵＳＣＨ表から、オフセットを加算することによって導出される。
【００３９】
第１の実施形態では、ＰＵＳＣＨ表は以下のように再利用される。デフォルトのＰＵＳＣＨ表、システム情報ブロック１（ＳＩＢ  １）の設定のＰＵＳＣＨ表、または専用のＰＵＳＣＨ表が再利用される。しかしながら、追加の処理時間を反映するために、時間領域リソース割り当てでシグナリングされたスロットオフセット値（すなわちＫ２の値）にオフセットが加算される。このオフセットが加算されるのは、時間領域リソース割り当てがＭｓｇ２（すなわちＲＡＲメッセージ）でシグナリングされた場合のみであることに留意されたい。オフセットは、ＰＤＣＣＨ復号と比較してＭｓｇ２復号のために必要な追加の処理時間に関連して変化し、アップリンクヌメロロジーμＵＬにおける、スロットの、次により大きい（または、それほど望ましくないが、次により小さい）数（すなわちＭｓｇ３が送信されることになるＰＵＳＣＨ用のアップリンクヌメロロジーまたはサブキャリア間隔）に丸められる。追加の処理時間がＴａｄｄと表され、Ｍｓｇ２における時間領域リソース割り当てがＫ２の値Ｋ２をシグナリングする場合には、真のＫ２（すなわちＫ２，ｉｎｃｒｅａｓｅｄと表される増加したスロットオフセット値）は、次式によって（切り上げを仮定して）決定され、
0006782373.tif 000014
ここで、ＴＵＬ，ｓｌｏｔはアップリンクスロットの期間である。一例では、
0006782373.tif 000015
となり、Ｎ１は、表２の「追加の復調用参照信号（ＤＭ−ＲＳ）が設定されている」から採用された。以下で説明される第２の実施形態において、Ｔａｄｄの他の値が提案される。
【００４０】
第２の実施形態では、Ｔａｄｄの代替値が利用される。非常に短いＰＤＳＣＨに関する復号は、ＰＤＳＣＨが終了した後に、より長いＰＤＳＣＨよりも少し延びる可能性があるので、短いＰＤＳＣＨについては復号時間が延長されている。したがって、Ｍｓｇ２がマッピングタイプＡを用いる短いＰＤＳＣＨで送信される場合には、Ｔａｄｄに加算値が加算されてよい。一例として、マッピングタイプＡを用いるＰＤＳＣＨがｉ番目（ｉ＜７）のシンボルで停止する場合には、ｉ＜７であればｄ１，３＝７−ｉ、そうでなければｄ１，３＝０とする追加の項を加算することが考えられ得、Ｔａｄｄは次式となる。
0006782373.tif 000016
【００４１】
他方では、ＰＤＳＣＨが非常に長い（長いがスロットアグリゲーションは用いないか、またはスロットアグリゲーションを用いてＰＤＳＣＨを送信する）場合には、ＰＤＳＣＨは後に完成され、したがって復号も後に完成される。Ｋ２は、Ｍｓｇ２が送信される第１のスロットの開始に対して測定されるので、ＰＤＳＣＨの長さを増加させる別の被加数ｄ’１，３が加算され得る。一般に、ＰＤＳＣＨ（Ｍｓｇ２を含んでいる）の長さの関数であるｄ１，３を得ることが考えられる。
【００４２】
別のＴａｄｄの別の例は以下の通りである。ユーザ機器（ＵＥ）が複数のセルに対して設定され、（送信および／または受信のいずれかの）セル間の時間差が０よりも大きいものであり得、Ｍｓｇ３が、Ｍｓｇ２を送るために使用されるセル（ＤＬ１で表される）とは異なるセル（ＤＬ２で表される）に関連したセル（ＵＬ２で表される）上で送信される場合には、ＤＬ２のタイミング（したがってＵＬ２のタイミング）がＤＬ１のタイミングよりも最大の許容時間差だけ早くなってしまう可能性がある。この値を補償するために、最大時間差を反映するＴａｄｄに対して値ｄ１，２が加算され得る。ＵＥが、ゼロよりも大きい時間差を有し得る複数のセルに対して設定される（または設定されて活性化される）場合には、値ｄ１，２はゼロよりも大きくなるはずである。ＵＥが複数のセルに対して設定される（または設定されて活性化される）と直ちに、予期される最大時間差とは無関係にｄ１，２＞０とすることが考えられ得る。ｄ１，２≠０の場合には、固定値または実際の最大時間差もしくは実際に予期される最大時間差に依拠する値にすることが考えられ得る。したがって、この例ではＴａｄｄは次式となる。
0006782373.tif 000017
ｄ１，２とｄ１，３を組み合わせることも考えられ得、Ｔａｄｄは次式となる。
0006782373.tif 000018
【００４３】
図１は、本明細書で説明された実施形態の少なくともいくつかの態様による、Ｍｓｇ３に時間領域リソースを割り当てるように動作する無線デバイス１００（本明細書ではＵＥ  １００とも称される）および無線アクセスノード１０２（たとえばＮＲ基地局（ｇＮＢ）などの基地局）を図示するものである。無線アクセスノード１０２は、好ましくはセルラーネットワーク（本明細書ではセルラー通信ネットワークまたはセルラー通信システムとも称される）における基地局である。無線デバイス１００と無線アクセスノード１０２は、たとえば３ＧＰＰの５Ｇ  ＮＲ規格などのセルラーネットワーク規格に従って無線で通信する。
【００４４】
図２は、本開示のいくつかの実施形態による無線デバイス１００およびの無線アクセスノード１０２の動作を図示するものである。任意選択のステップは破線で表現されている。任意選択で、いくつかの実施形態では、無線アクセスノード１０２は、ＰＵＳＣＨ表を無線デバイス１００用に設定する（ステップ２００）。ＰＵＳＣＨ表は、システム情報（たとえばＳＩＢ  １）または上位層シグナリングによって設定されてよい。ＰＵＳＣＨ表は複数の時間領域リソース割り当て設定を含む。
【００４５】
ランダムアクセスのために、無線デバイス１００はランダムアクセスプリアンブルを送信する（ステップ２０２）。無線アクセスノード１０２は、ランダムアクセスプリアンブルを受信すると、無線デバイス１００に、ＰＵＳＣＨ上でＭｓｇ３送信のための時間領域リソース割り当ての指示を含んでいるＲＡＲメッセージを送信する（ステップ２０４）。無線デバイス１００は、ＲＡＲメッセージを受信し、時間領域リソース割り当ての指示およびＰＵＳＣＨ表に基づいてＭｓｇ３送信のためのスロットオフセット値（Ｋ２）を決定する（ステップ２０６）。ＰＵＳＣＨ表は、デフォルトのＰＵＳＣＨ表または設定されたＰＵＳＣＨ表（たとえばステップ２００で設定されたＰＵＳＣＨ表）でよい。無線デバイス１００は、時間領域リソース割り当てに含まれたスロットオフセット値（Ｋ２）に対して追加のスロットオフセット値を加算することにより、Ｍｓｇ３送信のための増加したスロットオフセット値をもたらす（ステップ２０８）。本明細書では「オフセット」と称されることもある追加のスロットオフセット値は、第１の実施形態または第２の実施形態のいずれかに関して上記で説明されたように決定され得る。次いで、無線デバイス１００は増加したスロットオフセット値に従ってＭｓｇ３送信を送信する（ステップ２１０）。
【００４６】
本開示の実施形態は任意の適切なタイプの無線ネットワークにおいて実施され得るが、図３は本開示の実施形態が実施され得る無線ネットワーク３００の一例を図示するものである。図３は、いくつかの実施形態による無線ネットワーク３００を図示するものである。本明細書で説明される主題は、任意の適切なタイプのシステムにおいて任意の適切な構成要素を使用して実施され得るものであるが、本明細書で開示される実施形態は、図３で説明される例示の無線ネットワークなどの無線ネットワークに関連して説明される。簡単さのために、図３の無線ネットワークが表すのは、ネットワーク３０２、ネットワークノード３３４および３３４ｂ、ならびに無線デバイス（ＷＤ）１１０、１１０ｂ、および３０４ｃのみである。ＷＤ  ３０４、ＷＤ  ３０４ｂ、およびＷＤ  ３０４ｃは図１の無線デバイス１００の例である。実際には、無線ネットワークは、無線デバイス間の通信、または無線デバイスと、固定電話、サービスプロバイダ、または任意の他のネットワークノードもしくはエンドデバイスなど別の通信デバイスとの間の通信をサポートするのに適切な任意の追加要素をさらに含み得る。図示された構成要素のうち、ネットワークノード３３４およびＷＤ  ３０４は付加的な詳細を伴って表されている。無線ネットワークは、１つまたは複数の無線デバイスに対して通信および他のタイプのサービスを提供してよく、無線デバイスが、無線ネットワークによって提供されるサービスまたは無線ネットワークを介して提供されるサービスにアクセスすることおよび／または使用することを容易にする。
【００４７】
無線ネットワークは、任意のタイプの通信、遠隔通信、データ、セルラー、および／または無線ネットワークもしくは他の類似のタイプのシステムを備えてよく、かつ／またはこれらとインターフェースをとってよい。いくつかの実施形態では、無線ネットワークは、特定の規格または他のタイプの所定の規則もしくはプロシージャによって動作するように設定され得る。
【００４８】
ネットワーク３０２は、１つまたは複数のバックホールネットワーク、コアネットワーク、インターネットプロトコル（ＩＰ）ネットワーク、公衆スイッチ電話ネットワーク（ＰＳＴＮ）、パケットデータネットワーク、光ネットワーク、広域ネットワーク（ＷＡＮ）、ローカルエリアネットワーク（ＬＡＮ）、ＷＬＡＮ、有線ネットワーク、無線ネットワーク、都市内ネットワーク、およびデバイス間の通信を可能にするための他のネットワークを備え得る。
【００４９】
ネットワークノード３３４およびＷＤ  ３０４は、以下でより詳細に説明される様々な構成要素を備える。これらの構成要素は、無線ネットワークにおいて無線接続をもたらすことなど、ネットワークノードおよび／または無線デバイスの機能をもたらすように連携する。異なる実施形態では、無線ネットワークは、任意数の有線または無線のネットワーク、ネットワークノード、基地局、コントローラ、無線デバイス、中継局、ならびに／あるいは、有線もしくは無線の接続を介したデータおよび／または信号の通信を容易にする、またはこれらに関与する、任意の他の構成要素またはシステムを備え得る。
【００５０】
本明細書で使用されるように、ネットワークノードは、無線デバイスに対する無線アクセスを可能にするため、および／または無線アクセスをもたらすため、ならびに／あるいは無線ネットワークにおける他の機能（たとえば管理）を実施するために、無線ネットワークにおける無線デバイスおよび／または他のネットワークノードもしくは機器と直接的または間接的に通信することができ、通信するように設定され、通信するように構成され、かつ／または通信するように動作可能な機器を指す。ネットワークノードの例は、限定されるものではないが、アクセスポイント（ＡＰ）（たとえば無線アクセスポイント）、基地局（ＢＳ）（たとえば無線基地局、ノードＢ、拡張型すなわちエボルブドノードＢ（ｅＮＢ）、およびＮＲノードＢ（ｇＮＢ））を含む。基地局は、提供するカバレッジの量（または言い方を変えれば送信電力レベル）に基づいて分類され得、フェムト基地局、ピコ基地局、マイクロ基地局、またはマクロ基地局とも称され得る。基地局は、中継を制御する中継ノードまたは中継ドナーノードでよい。ネットワークノードは、集中型デジタルユニット、および／またはリモート無線ヘッド（ＲＲＨ）と称されることもあるリモートラジオユニット（ＲＲＵ）など、分散型無線基地局の１つまたは複数の（あるいはすべての）部分も含み得る。そのようなリモートラジオユニットは、アンテナ一体型無線としてアンテナに組み込まれてよく、または組み込まれなくてもよい。分散型無線基地局の一部分は、分散型アンテナシステム（ＤＡＳ）におけるノードと称されることもある。ネットワークノードのさらなる例は、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、ベーストランシーバ局（ＢＴＳ）、送信ポイント、送信ノード、マルチセル／マルチキャスト協調エンティティ（ＭＣＥ）、コアネットワークノード（たとえば移動交換センタ（ＭＳＣ）、モビリティ管理エンティティ（ＭＭＥ））、運用および保守（Ｏ＆Ｍ）のノード、運用支援システム（ＯＳＳ）ノード、自己最適化ネットワーク（ＳＯＮ）ノード、測位ノード（たとえばエボルブドサービングモバイルロケーションセンタ（ｅ−ＳＭＬＣ））、および／または運転テストの最小化（ＭＤＴ）を含む。別の例として、ネットワークノードは、以下でより詳細に説明されるような仮想ネットワークノードでよい。しかしながら、より一般的には、ネットワークノードは、無線デバイスに対して無線ネットワークへのアクセスを可能にし、かつ／または提供する、あるいは無線ネットワークにアクセスした無線デバイスに対していくつかのサービスを提供することができ、提供するように設定され、提供するように構成され、かつ／または提供するように動作可能な任意の適切なデバイス（またはデバイスのグループ）を表現し得る。
【００５１】
図３において、ネットワークノード３３４は、処理回路３３８、デバイス可読媒体３４４、インターフェース３５２、補助機器３４６、電源３４８、電力回路３５０、およびアンテナ３３６を含む。図３の例示の無線ネットワークに図示されたネットワークノード３３４は、ハードウェア構成要素の図示された組合せを含むデバイスを表現し得るものであるが、他の実施形態は、構成要素の異なる組合せのネットワークノードを備え得る。ネットワークノードは、本明細書で開示されたタスク、特徴、機能、および方法を実施するのに必要なハードウェアおよび／またはソフトウェアの任意の適切な組合せを備えることを理解されたい。その上に、ネットワークノード３３４の構成要素は、より大きなボックスの内部に配置された単一のボックスとして表されているかまたは複数のボックスの内部にネストにされているが、実際には、ネットワークノードは、図示された単一の構成要素を構成する複数の異なる物理的構成要素を備え得る（たとえば、デバイス可読媒体３４４は複数の別個のハードドライブならびに複数のランダムアクセスメモリ（ＲＡＭ）モジュールを備え得る）。
【００５２】
同様に、ネットワークノード３３４は、複数の物理的に分離した構成要素（たとえばノードＢの構成要素およびＲＮＣの構成要素、あるいはＢＴＳの構成要素およびＢＳＣの構成要素など）から成り得、各構成要素が独自の構成要素を有し得る。ネットワークノード３３４が複数の別個の構成要素（たとえばＢＴＳ構成要素およびＢＳＣ構成要素）を備えるあるシナリオでは、別個の構成要素のうちの１つまたは複数がいくつかのネットワークノードの間で共有され得る。たとえば、単一のＲＮＣが複数のノードＢを制御してよい。そのようなシナリオでは、それぞれの固有のノードＢとＲＮＣの対が、いくつかの事例において単一の別個のネットワークノードと考えられ得る。いくつかの実施形態では、ネットワークノード３３４は、複数の無線アクセス技術（ＲＡＴ）をサポートするように設定され得る。そのような実施形態では、いくつかの構成要素は二重（たとえば異なるＲＡＴ用の別個のデバイス可読媒体３４４）にされてよく、いくつかの構成要素は再利用されてよい（たとえばＲＡＴによって同一のアンテナ３３６が共有され得る）。ネットワークノード３３４は、たとえばＧＳＭ、広帯域符号分割多元接続（ＷＣＤＭＡ）、ＬＴＥ、ＮＲ、Ｗｉ−Ｆｉ、またはブルートゥース無線技術など、ネットワークノード３３４に一体化された異なる無線技術のための様々な図示された構成要素の複数のセットも含み得る。これらの無線技術は、同一のチップもしくは別々のチップまたはチップのセットおよびネットワークノード３３４の内部の他の構成要素に組み込まれ得る。
【００５３】
処理回路３３８は、本明細書でネットワークノードによってもたらされる動作として説明されたあらゆる決定する動作、計算する動作、または類似の動作（たとえばある取得する動作）を実施するように設定されている。処理回路３３８によって実施される動作は、処理回路３３８によって得られた情報をたとえば他の情報に変換して、得られた情報または変換後の情報をネットワークノード３３４に記憶された情報と比較すること、ならびに／あるいは得られた情報または変換後の情報に基づいて１つまたは複数の動作を実施し、前記処理の結果として決定することによって得られる処理情報を含み得る。
【００５４】
処理回路３３８は、マイクロプロセッサ、コントローラ、マイクロコントローラ、中央処理装置（ＣＰＵ）、デジタル信号プロセッサ（ＤＳＰ）、特定用途向け集積回路（ＡＳＩＣ）、フィールドプログラマブルゲートアレイ（ＦＰＧＡ）、もしくは任意の他の適切なコンピュータデバイス、リソースのうち１つまたは複数の組合せ、あるいは、単独で、またはデバイス可読媒体３４４などネットワークノード３３４の他の構成要素と併せて、ネットワークノード３３４の機能性をもたらすように動作可能なハードウェア、ソフトウェアおよび／または符号化されたロジックの組合せを備え得る。たとえば、処理回路３３８は、デバイス可読媒体３４４または処理回路３３８の内部のメモリに記憶された命令を実行し得る。そのような機能性には、本明細書で論じた様々な無線の特徴、機能、または利点のうちの任意のものをもたらすことが含まれ得る。いくつかの実施形態では、処理回路３３８はシステムオンチップ（ＳＯＣ）を含み得る。
【００５５】
いくつかの実施形態では、処理回路３３８は、無線周波数（ＲＦ）トランシーバ回路３４０およびベースバンド処理回路３４２のうちの１つまたは複数を含み得る。いくつかの実施形態では、ＲＦトランシーバ回路３４０およびベースバンド処理回路３４２は、別個のチップ（またはチップのセット）上、基板上、または無線ユニットおよびデジタルユニットなどのユニット上に存在し得る。代替実施形態では、ＲＦトランシーバ回路３４０およびベースバンド処理回路３４２の一部分またはすべてが、同一のチップまたはチップのセット上、基板上、またはユニット上に存在し得る。
【００５６】
ある実施形態では、ネットワークノード、基地局、ｅＮＢ、または他のそのようなネットワークデバイスによってもたらされるものとして本明細書で説明された機能性のいくつかまたはすべては、デバイス可読媒体３４４または処理回路３３８の内部のメモリに記憶された命令を実行する処理回路３３８によって実施されてよい。代替実施形態では、機能性のうちのいくつかまたはすべてが、処理回路３３８によって、ハードワイヤード式などで、別個のまたは離散型のデバイス可読媒体に記憶された命令を実行することなく、もたらされ得る。それらの実施形態のあらゆるものにおいて、デバイス可読記憶媒体に記憶された命令の実行の有無にかかわらず、処理回路３３８は、説明された機能性を実施するように設定され得る。そのような機能性によってもたらされる利点は、単体の処理回路３３８またはネットワークノード３３４の他の構成要素に限定されず、一般に、全体としてのネットワークノード３３４ならびに／あるいはエンドユーザおよび無線ネットワークによって享受される。
【００５７】
デバイス可読媒体３４４は、持続性の記憶機構、ソリッドステートメモリ、遠隔の記憶装置、磁気媒体、光媒体、ＲＡＭ、読取り専用メモリ（ＲＯＭ）、大容量記憶媒体（たとえばハードディスク）、取外し可能記憶媒体（たとえばフラッシュドライブ、コンパクトディスク（ＣＤ）またはデジタルビデオティスク（ＤＶＤ））、ならびに／あるいは任意の他の揮発性または不揮発性の、非一時的な、デバイス可読、かつ／または情報、データ、および／または処理回路３３８によって使用され得る命令を記憶する、コンピュータ実行可能な記憶デバイスを制限なく含む、任意の形式の揮発性または不揮発性のコンピュータ可読記憶装置を備え得る。デバイス可読媒体３４４は、ロジック、規則、コード、表などのうちの１つまたは複数を含むコンピュータプログラム、ソフトウェア、アプリケーション、および／または処理回路３３８によって実行され得、ネットワークノード３３４によって利用される他の命令を含む、任意の適切な命令、データまたは情報を記憶し得る。デバイス可読媒体３４４は、処理回路３３８による任意の演算および／またはインターフェース３５２を介して受信された任意のデータを記憶するように使用され得る。いくつかの実施形態では、処理回路３３８とデバイス可読媒体３４４を一体化するように考えられてよい。
【００５８】
インターフェース３５２は、ネットワークノード３３４、ネットワーク３０２、および／またはＷＤ  ３０４との間のシグナリングおよび／またはデータの有線もしくは無線の通信において使用され得る。図示のように、インターフェース３５２は、たとえばネットワーク３０２との間で有線接続を通じてデータを送受信するためのポート／端末１９４を備える。インターフェース３５２には、アンテナ３３６に結合され得る、またはある実施形態ではアンテナ３３６の一部分であり得る、無線フロントエンド回路３５４も含まれる。無線フロントエンド回路３５４はフィルタ３６０および増幅器３５８を備える。無線フロントエンド回路３５４は、アンテナ３３６および処理回路３３８に接続され得る。無線フロントエンド回路３５４は、アンテナ３３６と処理回路３３８の間で通信される信号を調整するように設定されてよい。無線フロントエンド回路３５４が受信し得るデジタルデータは、無線接続を通じて他のネットワークノードまたはＷＤに送られるものである。無線フロントエンド回路３５４は、フィルタ３６０および／または増幅器３５８の組合せを使用して、デジタルデータを、適切なチャネルおよび帯域幅のパラメータを有する無線信号に変換してよい。次いで、無線信号は、アンテナ３３６を通じて送信されてよい。同様に、データを受信するときには、アンテナ３３６によって収集され得た無線信号が無線フロントエンド回路３５４によってデジタルデータに変換される。デジタルデータは処理回路３３８に渡され得る。他の実施形態では、インターフェース３５２は、異なる構成要素および／または異なる構成要素の組合せを備え得る。
【００５９】
ある代替実施形態では、ネットワークノード３３４は個別の無線フロントエンド回路３５４を含まなくてよく、代わりに、処理回路３３８が、無線フロントエンド回路を備えて、個別の無線フロントエンド回路３５４のないアンテナ３３６に接続され得る。同様に、いくつかの実施形態では、ＲＦトランシーバ回路３４０のいくつかまたはすべてがインターフェース３５２の一部分と考えられる。さらに別の実施形態では、インターフェース３５２が、無線ユニット（図示せず）の一部分として、１つまたは複数のポートまたは端末３５６、無線フロントエンド回路３５４、およびＲＦトランシーバ回路３４０を含んでよく、デジタルユニット（図示せず）の一部分であるベースバンド処理回路３４２と通信し得る。
【００６０】
アンテナ３３６は１つまたは複数のアンテナまたはアンテナアレイを含み得、無線信号を送信および／または受信するように設定されている。アンテナ３３６はデータおよび／または信号を無線で送受信可能な任意のタイプのアンテナでよく、無線フロントエンド回路３５４に結合され得る。いくつかの実施形態では、アンテナ３３６は、たとえば２ＧＨｚ〜６６ＧＨｚの無線信号を送信／受信するように動作可能な１つまたは複数の全方向性アンテナ、セクタアンテナ、またはパネルアンテナを備え得る。全方向性アンテナはあらゆる方向の無線信号を送信／受信するように使用されてよく、セクタアンテナは特定の領域内のデバイスとの間で無線信号を送信／受信するように使用されてよく、パネルアンテナは、比較的直線の無線信号を送信／受信するために使用される視線アンテナでよい。いくつかの事例では、複数のアンテナを使用することは多重入出力（ＭＩＭＯ）と称され得る。ある実施形態では、アンテナ３３６はネットワークノード３３４から分離されてよく、インターフェースまたはポートを介してネットワークノード３３４に接続可能であり得る。
【００６１】
アンテナ３３６、インターフェース３５２、および／または処理回路３３８は、本明細書においてネットワークノードが実施するものとして説明されたあらゆる受信動作および／またはある取得動作を実施するように設定され得る。任意の情報、データおよび／または信号が、無線デバイス、別のネットワークノードおよび／または任意の他のネットワーク機器から受信され得る。同様に、アンテナ３３６、インターフェース３５２、および／または処理回路３３８は、本明細書においてネットワークノードが実施するものとして説明されたあらゆる送信動作を実施するように設定され得る。任意の情報、データおよび／または信号が、無線デバイス、別のネットワークノード、および／または任意の他のネットワーク機器に送信され得る。
【００６２】
電力回路３５０は、電力管理回路を備えてよく、または電力管理回路に結合されてもよく、ネットワークノード３３４の構成要素に対して、本明細書で説明された機能性を実施するための電力を供給するように設定されている。電力回路３５０は電源３４８から電力を受け取り得る。電源３４８および／または電力回路３５０は、ネットワークノード３３４の様々な構成要素に対して、それぞれの構成要素にとって適切な形態で（たとえば各それぞれの構成要素向けに、必要な電圧および電流のレベルで）電力を供給するように設定され得る。電源３４８は、電力回路３５０および／またはネットワークノード３３４に含まれてよく、または外部にあってもよい。たとえば、ネットワークノード３３４は、入力回路または電気ケーブルなどのインターフェースを介して外部電源（たとえば電力コンセント）に接続可能でよく、それによって外部電源が電力回路３５０に電力を供給する。さらなる例として、電源３４８は、電力回路３５０に接続されているかまたは組み込まれているバッテリーまたはバッテリーパックの形態の電力源を備え得る。バッテリーは、万一外部電源が役に立たないときバックアップ電力を供給し得る。光起電力デバイスなど他のタイプの電源も使用され得る。
【００６３】
ネットワークノード３３４の代替実施形態に含まれ得る、図３に示されたもの以上のさらなる構成要素は、本明細書で説明された機能性のうちの任意のものおよび／または本明細書で説明された主題をサポートするのに必要なあらゆる機能性を含む、ネットワークノードの機能性の特定の態様をもたらすことを担い得るものである。たとえば、ネットワークノード３３４には、ネットワークノード３３４への情報の入力を可能にし、かつネットワークノード３３４からの情報の出力を可能にするためのユーザインターフェース機器が含まれ得る。これによって、ユーザは、ネットワークノード３３４に対する診断、保守、修理、および他の管理機能を実施することができる。
【００６４】
本明細書で使用されるように、ＷＤは、ネットワークノードおよび／または他の無線デバイスと、無線通信することが可能な、無線通信するように設定された、無線通信するように構成された、かつ／または無線通信するように動作可能なデバイスを指す。ＷＤという用語は、本明細書では、他に断らない限りＵＥと区別なく使用され得るものである。無線で通信することは、電磁波、電波、赤外線波、および／または空中の情報伝達に適切な他のタイプの信号を使用して、無線信号を送信および／または受信することを包含し得る。いくつかの実施形態では、ＷＤは、人間との直接的な相互作用なしで情報を送信および／または受信するように設定され得る。たとえば、ＷＤは、内部または外部のイベントによって起動されたとき、またはネットワークからの要求に応答して、所定のスケジュールに基づき、ネットワークへ情報を送信するように設計され得る。ＷＤの例は、限定されるものではないが、スマートフォン、携帯電話、セル式電話、ボイスオーバＩＰ（ＶｏＩＰ）フォン、無線ローカルループフォン、デスクトップコンピュータ、携帯情報端末（ＰＤＡ）、無線カメラ、ゲーム用のコンソールまたはデバイス、音楽記憶デバイス、再生機器、着用可能端末デバイス、無線エンドポイント、モバイルステーション、タブレット、ラップトップ、ラップトップ組込型機器（ＬＥＥ）、ラップトップ搭載型機器（ＬＭＥ）、スマートデバイス、無線の顧客構内機器（ＣＰＥ）、車載無線端末デバイスなどを含む。ＷＤは、たとえば、サイドリンク通信のための３ＧＰＰ規格、車車間（Ｖ２Ｖ）通信、路車間（Ｖ２Ｉ）通信、車車間・路車間（Ｖ２Ｘ）通信を実施することによってデバイス間（Ｄ２Ｄ）通信をサポートし得、この場合Ｄ２Ｄ通信デバイスと称され得る。もう一つの具体例として、モノのインターネット（ＩｏＴ）のシナリオでは、ＷＤは、監視および／または測定を実施してそのような監視および／または測定の結果を別のＷＤおよび／またはネットワークノードに送信する、マシンまたは他のデバイスを表し得る。ＷＤは、この場合マシン間（Ｍ２Ｍ）デバイスでよく、３ＧＰＰの状況ではマシンタイプ通信（ＭＴＣ）デバイスと称され得る。特定の例の１つとして、ＷＤは、３ＧＰＰの狭帯域ＩｏＴ（ＮＢ−ＩｏＴ）規格を実施するＵＥでよい。そのようなマシンまたはデバイスの特定の例には、センサ、電力計などの計量デバイス、工業用機械、家庭用機器もしくは個人用機器（たとえば冷蔵庫、テレビなど）、または個人用ウェアラブル（たとえば腕時計、フィットネストラッカなど）がある。他のシナリオでは、ＷＤは、それ自体の運転状態もしくは動作に関連した他の機能について報告することおよび／または監視することが可能な車両または他の機器を表し得る。上記で説明されたようなＷＤは無線接続のエンドポイントを表してよく、その場合には、デバイスは、無線端末と称され得る。その上、上記で説明されたようなＷＤは可動性であり得、その場合にはモバイルデバイスまたはモバイル端末と称され得る。
【００６５】
図示されたように、無線デバイス３０４は、アンテナ３０６、インターフェース３１０、処理回路３１６、デバイス可読媒体３２４、ユーザインターフェース機器３２６、補機３２８、電源３３０、および電力回路３３２を含む。ＷＤ  ３０４は、少し例を挙げるだけでも、たとえばＧＳＭ、ＷＣＤＭＡ、ＬＴＥ、ＮＲ、Ｗｉ−Ｆｉ、ＷｉＭＡＸ、またはブルートゥース無線技術など、ＷＤ  ３０４によってサポートされる種々の無線技術用の図示された構成要素の１つまたは複数の複数のセットを含み得る。これらの無線技術は、ＷＤ  ３０４の内部の他の構成要素として、同一のチップもしくは別々のチップまたはチップのセットに組み込まれ得るものである。
【００６６】
アンテナ３０６に含まれ得る１つもしくは複数のアンテナまたはアンテナアレイは、無線信号を送り、かつ／または受信するように設定されてインターフェース３１０に接続されている。ある代替実施形態では、アンテナ３０６はＷＤ  ３０４から分離されてよく、インターフェースまたはポートを介してＷＤ  ３０４に接続可能であり得る。アンテナ３０６、インターフェース３１０、および／または処理回路３１６は、本明細書においてＷＤが実施するものとして説明されたあらゆる受信動作または送信動作を実施するように設定され得る。任意の情報、データおよび／または信号が、ネットワークノードおよび／または別のＷＤから受信され得る。いくつかの実施形態では、無線フロントエンド回路および／またはアンテナ３０６はインターフェースと見なされてよい。
【００６７】
図示のように、インターフェース３１０は無線フロントエンド回路３０８およびアンテナ３０６を備える。無線フロントエンド回路３０８は、１つまたは複数のフィルタ３１４および増幅器３１２を備える。無線フロントエンド回路３１０は、アンテナ３０６および処理回路３１６に接続されており、アンテナ３０６と処理回路３１６の間で通信される信号を調整するように設定されている。無線フロントエンド回路３０８は、アンテナ２１１に結合されてよく、またはアンテナ３０６の一部分でもよい。いくつかの実施形態では、ＷＤ  ３０４は、別個の無線フロントエンド回路３０８を含まなくてよく、むしろ、処理回路３１６が無線フロントエンド回路を備えてアンテナ３０６に接続され得る。同様に、いくつかの実施形態では、ＲＦトランシーバ回路３１８のいくつかまたはすべてがインターフェース３１０の一部分と見なされ得る。無線フロントエンド回路３０８が受信し得るデジタルデータは、無線接続を通じて他のネットワークノードまたはＷＤに送られるものである。無線フロントエンド回路３０８は、フィルタ３１４および／または増幅器３１２の組合せを使用して、デジタルデータを、適切なチャネルおよび帯域幅のパラメータを有する無線信号に変換してよい。次いで、無線信号は、アンテナ３０６を通じて送信されてよい。同様に、データを受信するときには、アンテナ３０６によって収集され得た無線信号が無線フロントエンド回路３０８によってデジタルデータに変換される。デジタルデータは処理回路３１６に渡され得る。他の実施形態では、インターフェース３１０は、異なる構成要素および／または異なる構成要素の組合せを備え得る。
【００６８】
処理回路３１６は、マイクロプロセッサ、コントローラ、マイクロコントローラ、ＣＰＵ、ＤＳＰ、ＡＳＩＣ、ＦＰＧＡ、もしくは任意の他の適切なコンピュータデバイス、リソースのうちの１つまたは複数の組合せ、あるいは、単独で、またはデバイス可読媒体３２４などＷＤ  ３０４の他の構成要素と併せて、ＷＤ  ３０４の機能性をもたらすように動作可能なハードウェア、ソフトウェア、および／または符号化されたロジックの組合せを備え得る。そのような機能性には、本明細書で論じた様々な無線の特徴または利点のうちの任意のものをもたらすことが含まれ得る。たとえば、処理回路３１６は、本明細書で開示された機能性をもたらすために、デバイス可読媒体３２４または処理回路３１６の内部のメモリに記憶された命令を実行してよい。
【００６９】
図示のように、処理回路３１６は、ＲＦトランシーバ回路３１８、ベースバンド処理回路３２０、およびアプリケーション処理回路３２２のうちの１つまたは複数を含む。他の実施形態では、処理回路３１６は、異なる構成要素および／または異なる構成要素の組合せを備え得る。ある実施形態では、ＷＤ  ３０４の処理回路３１６はＳＯＣを備え得る。いくつかの実施形態では、ＲＦトランシーバ回路３１８、ベースバンド処理回路３２０、およびアプリケーション処理回路３２２は、別個のチップ上またはチップのセット上に存在してよい。代替実施形態では、ベースバンド処理回路３２０およびアプリケーション処理回路３２２の一部分またはすべてが、１つのチップまたはチップのセットへと組み合わされてよく、ＲＦトランシーバ回路３１８は別個のチップ上またはチップのセット上に存在してよい。さらなる代替実施形態では、ＲＦトランシーバ回路３１８およびベースバンド処理回路３２０の一部分またはすべてが、同一のチップ上またはチップのセット上に存在してよく、アプリケーション処理回路３２２は別個のチップ上またはチップのセット上に存在してよい。さらに別の代替実施形態では、ＲＦトランシーバ回路３１８、ベースバンド処理回路３２０、およびアプリケーション処理回路３２２の一部分またはすべてが、同一のチップまたはチップのセットにおいて組み合わされてよい。いくつかの実施形態では、ＲＦトランシーバ回路３１８はインターフェース３１０の一部分でよい。ＲＦトランシーバ回路３１８は、処理回路３１６向けのＲＦ信号を調整し得る。
【００７０】
ある実施形態では、本明細書でＷＤが実施するものとして説明された機能性のいくつかまたはすべてが、ある実施形態では、コンピュータ可読記憶媒体であり得るデバイス可読媒体３２４に記憶された命令を実行する処理回路３１６によってもたらされ得る。代替実施形態では、機能性のうちのいくつかまたはすべてが、処理回路３１６によってハードワイヤード式などで、別個のまたは離散型のデバイス可読記憶媒体に記憶された命令を実行することなく、回路もたらされ得る。それらの特定の実施形態のあらゆるものにおいて、デバイス可読記憶媒体に記憶された命令の実行の有無にかかわらず、処理回路３１６は、説明された機能性を実施するように設定され得る。そのような機能性によってもたらされる利点は、単体の処理回路３１６またはＷＤ  ３０４の他の構成要素に限定されず、一般に、全体としてのＷＤ  ３０４ならびに／あるいはエンドユーザおよび無線ネットワークによって享受される。
【００７１】
処理回路３１６は、本明細書でＷＤによって実施される動作として説明されたあらゆる決定する動作、計算する動作、または類似の動作（たとえば一定の取得する動作）を実施するように設定され得る。処理回路３１６によって実施されるこれらの動作は、処理回路３１６によって得られた情報をたとえば他の情報に変換して、得られた情報または変換後の情報をＷＤ  ３０４に記憶された情報と比較する動作、ならびに／あるいは得られた情報または変換後の情報に基づいて１つまたは複数の動作を実施し、前記処理の結果として決定する動作を含み得る。
【００７２】
デバイス可読媒体３２４は、ロジック、規則、コード、表などのうちの１つまたは複数を含むコンピュータプログラム、ソフトウェア、アプリケーション、および／または処理回路３１６によって実行され得る他の命令を記憶するように動作し得る。デバイス可読媒体３２４には、コンピュータメモリ（たとえばＲＡＭまたはＲＯＭ）、大容量記憶媒体（たとえばハードディスク）、取外し可能記憶媒体（たとえばＣＤまたはＤＶＤ）、ならびに／あるいは情報、データ、および／または処理回路３１６によって使用され得る命令を記憶する、任意の他の揮発性または不揮発性の、非一時的な、デバイス可読かつ／またはコンピュータ実行可能の記憶デバイスが含まれ得る。いくつかの実施形態では、処理回路３１６とデバイス可読媒体３２４を一体化するように考えられてよい。
【００７３】
ユーザインターフェース機器３２６は、人間のユーザがＷＤ  ３０４と相互作用することを可能にする構成要素を提供し得る。そのような相互作用は、視覚、聴覚、触覚など多くの形態であり得る。ユーザインターフェース機器３２６は、ユーザに対して出力を生成し、ユーザがＷＤ  ３０４に入力を供給することを可能にするように動作可能であり得る。相互作用のタイプは、ＷＤ  ３０４にインストールされたユーザインターフェース機器３２６のタイプに依拠して変化し得る。たとえば、ＷＤ  ３０４がスマートフォンであれば、相互作用はタッチスクリーンを介するものであり得、ＷＤ  ３０４がスマートメータであれば、相互作用は、使用量（たとえば使用されたガロン数）を与えるスクリーン、または（たとえば煙が検知された場合に）音響の警報をもたらすスピーカによるものであり得る。ユーザインターフェース機器３２６は、入力のインターフェース、デバイスおよび回路、ならびに出力のインターフェース、デバイスおよび回路を含み得る。ユーザインターフェース機器３２６は、ＷＤ  ３０４への情報の入力を可能にするように設定されて処理回路３１６に接続され、処理回路３１６が入力情報を処理することを可能にする。ユーザインターフェース機器３２６は、たとえばマイクロフォン、近接センサまたは他のセンサ、キー／ボタン、タッチディスプレイ、１つまたは複数のカメラ、ユニバーサルシリアルバス（ＵＳＢ）ポート、または他の入力回路を含み得る。ユーザインターフェース機器３２６は、ＷＤ  ３０４から情報を出力することを可能にし、処理回路３１６がＷＤ  ３０４から情報を出力することを可能にするようにも設定されている。ユーザインターフェース機器３２６は、たとえばスピーカ、表示器、振動回路、ＵＳＢポート、ヘッドフォンインターフェース、または他の出力回路を含み得る。ＷＤ  ３０４は、ユーザインターフェース機器３２６の１つまたは複数の入力および出力のインターフェースと、デバイスと、回路とを使用して、エンドユーザおよび／または無線ネットワークと通信し、これらが本明細書で説明された機能性から利益を得ることを可能にし得る。
【００７４】
補機３２８は、ＷＤによって一般に実施され得ない、より特殊な機能性をもたらすように動作可能である。これは、様々な目的で測定するための特化されたセンサ、有線通信などの追加のタイプの通信用インターフェースを備え得る。補機３２８の構成要素の含有およびタイプは、実施形態および／またはシナリオに依拠して異なり得る。
【００７５】
電源３３０は、いくつかの実施形態ではバッテリーまたはバッテリーパックの形態でよい。外部電源（たとえば電気のコンセント）、光起電力デバイス、または動力電池など他のタイプの電源も使用され得る。ＷＤ  ３０４がさらに備える電力回路３３２は、本明細書で説明または指示された何らかの機能性を実行するのに電源３３０からの電力を必要とするＷＤ  ３０４の様々な部品に電源３３０からの電力を配送するためのものである。電力回路３３２は、ある実施形態では電力管理回路を備え得る。電力回路３３２は、それに加えて、またはその代わりに、外部電源から電力を受け取るように動作可能であり、その場合、ＷＤ  ３０４は、入力回路または電力ケーブルなどのインターフェースを介して外部電源（電気のコンセントなど）に接続可能でよい。電力回路３３２は、ある実施形態では、外部電源からの電力を電源３３０に配送するように動作可能であり得る。これは、たとえば電源３３０を充電するためでよい。電力回路３３２は、電力を、供給されるＷＤ  ３０４のそれぞれの構成要素向けに適切なものにするために、電源３３０との間でやり取りする電力に対して、何らかのフォーマッティング、変換、または他の変更を実施してよい。
【００７６】
図４は、本明細書で説明された様々な態様によるＵＥの一実施形態を図示するものである。本明細書で使用されるように、ユーザ機器すなわちＵＥには、必ずしも、関連するデバイスを所有しかつ／または操作する人間のユーザの意味でのユーザが存在するわけではない。代わりに、ＵＥは、人間のユーザへの販売または人間のユーザによる操作を意図されたデバイスを表現し得るが、特定の人間のユーザに関連付けられない、または最初は関連付けられなくてもよい（たとえばスマートなスプリンクラコントローラ）。あるいは、ＵＥは、エンドユーザへの販売またはエンドユーザによる操作を意図されていないデバイスを表現し得るが、ユーザの利益に関連付けられてよく、またはユーザの利益のために運用されてもよい（たとえばスマートな電力計）。ＵＥ  ４００は、ＮＢ−ＩｏＴのＵＥ、ＭＴＣのＵＥ、および／または拡張ＭＴＣ（ｅＭＴＣ）のＵＥを含む、３ＧＰＰによって同定された任意のＵＥでよい。ＵＥ  ４００は、図４に図示されるようにＷＤの一例であり、３ＧＰＰのＧＳＭ、ＵＭＴＳ、ＬＴＥなど、３ＧＰＰによって公布された１つまたは複数の通信規格および／または５Ｇ規格による通信用に設定されている。前述のように、ＷＤという用語とＵＥという用語は交換可能に使用され得る。それゆえに、図４はＵＥであるが、本明細書で論じられた構成要素はＷＤにも同様に適用可能であり、逆の場合も同じである。図４のＵＥ  ４００は、上記で説明された無線デバイス１００の一例である。
【００７７】
図４において、ＵＥ  ４００が含む処理回路４０２は、入出力インターフェース４０６、ＲＦインターフェース４０８、ネットワーク接続インターフェース４１０、ＲＡＭ  ４１６、ＲＯＭ  ４１８、および記憶媒体４２０を含む記憶装置４１４等、通信サブシステム４２８、電源４１２、ならびに／あるいは任意の他の構成要素、またはそれらの任意の組合せに対して動作可能に結合されている。記憶媒体４２０は、オペレーティングシステム４２２、アプリケーションプログラム４２４、およびデータ４２６を含む。他の実施形態では、記憶媒体４２０は他の類似のタイプの情報を含み得る。あるＵＥは、図４に示された構成要素のすべてを利用してよく、または構成要素のサブセットのみを利用してもよい。構成要素間の集積化のレベルは、ＵＥごとに変化し得るものである。さらに、あるＵＥは、複数のプロセッサ、記憶装置、トランシーバ、送信器、受信器など、構成要素の複数の事例を含み得る。
【００７８】
図４において、処理回路４０２はコンピュータの命令およびデータを処理するように設定され得る。処理回路４０２は、１つまたは複数のハードウェア（たとえば離散ロジック、ＦＰＧＡ、ＡＳＩＣなど）で実施されるステートマシン、適切なファームウェアを加えたプログラマブルロジック、１つまたは複数の記憶されたプログラム、適切なソフトウェアを加えたマイクロプロセッサまたはＤＳＰなどの汎用プロセッサ、または上記のものの任意の組合せなど、記憶装置の中に機械可読コンピュータプログラムとして記憶されたマシン命令を実行するように機能する任意の逐次ステートマシンを実施するように設定されてよい。たとえば、処理回路４０２は２つのＣＰＵを含み得る。データは、コンピュータが使用するのに適した形式の情報でよい。
【００７９】
表された実施形態では、入出力インターフェース４０６は、入力デバイス、出力デバイス、または入出力デバイスに通信インターフェースをもたらすように設定され得る。ＵＥ  ４００は、入出力インターフェース４０６を介して出力デバイスを使用するように設定され得る。出力デバイスは、入力デバイスと同一のタイプのインターフェースポートを使用し得る。たとえば、ＵＳＢポートは、ＵＥ  ４００に対して入力および出力を供給するように使用され得る。出力デバイスは、スピーカ、サウンドカード、ビデオカード、表示器、モニタ、プリンタ、アクチュエータ、発光体、スマートカード、別の出力デバイス、またはそれらの任意の組合せでよい。ＵＥ  ４００は、ユーザがＵＥ  ４００に情報を取り込むことを可能にする入出力インターフェース４０６を介して入力デバイスを使用するように設定されてよい。入力デバイスは、タッチ感応または存在感応の表示器、カメラ（たとえばデジタルカメラ、デジタルビデオカメラ、ウェブカメラなど）、マイクロフォン、センサ、マウス、トラックボール、指向性パッド、トラックパッド、スクロールホイール、スマートカードなどを含み得る。存在感応表示器は、ユーザから入力を感知するための容量性タッチセンサまたは抵抗性タッチセンサを含み得る。センサは、たとえば加速度計、ジャイロスコープ、傾斜センサ、力センサ、磁力計、光センサ、近接センサ、別の類似のセンサ、またはそれらの任意の組合せでよい。たとえば、入力デバイスは、加速度計、磁力計、デジタルカメラ、マイクロフォン、および光センサでよい。
【００８０】
図４において、ＲＦインターフェース４０８は、送信器、受信器、およびアンテナなどのＲＦ構成要素に通信インターフェースをもたらすように設定され得る。ネットワーク接続インターフェース４１０は、ネットワーク４３４ａに通信インターフェースをもたらすように設定され得る。ネットワーク４３４ａは、ＬＡＮ、ＷＡＮ、コンピュータネットワーク、無線ネットワーク、遠隔通信ネットワーク、別の類似のネットワーク、またはそれらの任意の組合せなど、有線および／または無線のネットワークを包含し得る。たとえば、ネットワーク４３４ａはＷｉ−Ｆｉネットワークを備え得る。ネットワーク接続インターフェース４１０は、イーサネット、送信制御プロトコル（ＴＣＰ）／ＩＰ、同期型光ネットワーキング（ＳＯＮＥＴ）、非同期転送モード（ＡＴＭ）等、１つまたは複数の通信プロトコルによる通信ネットワークを通じて１つまたは複数の他のデバイスと通信するのに使用される、受信器および送信器のインターフェースを含むように設定され得る。ネットワーク接続インターフェース４１０は、通信ネットワークリンク（たとえば光リンク、電気リンクなど）に適切な受信器および送信器の機能性を実施し得る。送信器の機能と受信器の機能は、回路部品、ソフトウェアまたはファームウェアを共有してよく、あるいは別個に実施されてもよい。
【００８１】
ＲＡＭ  ４１６は、オペレーティングシステム、アプリケーションプログラム、およびデバイスドライバなどのソフトウエアプログラムの実行中に、処理回路４０２に、データまたはコンピュータ命令の記憶またはキャッシュをもたらすために、バス４０４を介してインターフェースをとるように設定され得る。ＲＯＭ  ４１８は、処理回路４０２にコンピュータ命令またはデータを供給するように設定され得る。たとえば、ＲＯＭ  ４１８は、不変の低水準のシステムコード、または基本的な入出力（Ｉ／Ｏ）、スタートアップ、もしくはキーボードからのキーストロークの受取りなど、不揮発性メモリに記憶される基本的なシステム機能のためのデータを記憶するように設定され得る。記憶媒体４２０は、ＲＡＭ、ＲＯＭ、プログラマブルＲＯＭ（ＰＲＯＭ）、消去可能ＰＲＯＭ（ＥＰＲＯＭ）、電気的ＥＰＲＯＭ（ＥＥＰＲＯＭ）、磁気ディスク、光ディスク、フロッピーディスク、ハードディスク、取外し可能カートリッジ、またはフラッシュドライブなどの記憶装置を含むように設定され得る。一例では、記憶媒体４２０は、オペレーティングシステム４２２と、ウェブブラウザアプリケーション、ウィジェットエンジンもしくはガジェットエンジン、または別のアプリケーションなどのアプリケーションプログラム４２４と、データファイル４２６とを含むように設定され得る。記憶媒体４２０は、ＵＥ  ４００が使用する多種多様なオペレーティングシステムまたはオペレーティングシステムの組合せのうちの任意のものを記憶し得る。
【００８２】
記憶媒体４２０は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、ブルーレイ光ディスクドライブ、ホログラフィックデジタルデータ記憶（ＨＤＤＳ）光ディスクドライブ、外部ミニデュアルインラインメモリモジュール（ＤＩＭＭ）、同期型ダイナミックＲＡＭ（ＳＤＲＡＭ）、外部マイクロＤＩＭＭのＳＤＲＡＭ、加入者識別モジュール（ＳＩＭ）または取外し可能ユーザ識別（ＲＵＩＭ）モジュールなどのスマートカードメモリ、他の記憶装置、またはそれらの任意の組合せなど、複数の物理ドライブユニットを含むように設定され得る。記憶媒体４２０により、ＵＥ  ４００は、一時的記憶媒体または非一時的記憶媒体に記憶されたコンピュータ実行可能命令、アプリケーションプログラムなどにアクセスしてデータをオフロードする、またはアップロードすることが可能になり得る。通信システムを利用するものなどの製品は、デバイス可読媒体を備え得る記憶媒体４２０において実体的に具現されてよい。
【００８３】
図４において、処理回路４０２は、通信サブシステム４２８を使用してネットワーク４３４ｂと通信するように設定されてよい。ネットワーク４３４ａとネットワーク４３４ｂは、同一のネットワーク（複数可）または異なるネットワーク（複数可）であり得る。通信サブシステム４２８は、ネットワーク４３４ｂと通信するために使用される１つまたは複数のトランシーバを含むように設定されてよい。たとえば、通信サブシステム４２８は、ＩＥＥＥ  ８０２．２、符号分割多元接続（ＣＤＭＡ）、ＷＣＤＭＡ、ＧＳＭ、ＬＴＥ、汎用地上波ＲＡＮ（ＵＴＲＡＮ）、ＷｉＭａｘ等、１つまたは複数の通信プロトコルによって無線アクセスネットワーク（ＲＡＮ）の別のＷＤ、ＵＥ、または基地局などの無線通信が可能な別のデバイスの１つまたは複数の遠隔のトランシーバと通信するのに使用される１つまたは複数のトランシーバを含むように設定されてよい。各トランシーバが、ＲＡＮリンク（たとえば周波数割り当てなど）に適した送信器の機能性を実施するための送信器４３０および／または受信器の機能性を実施するための受信器４３２を含み得る。さらに、各トランシーバの送信器４３０と受信器４３２は、回路部品、ソフトウェアまたはファームウェアを共有してよく、あるいは別個に実施されてもよい。
【００８４】
図示の実施形態において、通信サブシステム４２８の通信機能は、データ通信、音声通信、マルチメディア通信、ブルートゥースなどの短距離通信、ニアフィールド通信、所在を判定するための全地球測位システム（ＧＰＳ）の使用などロケーションベースの通信、別の類似の通信機能、またはそれらの任意の組合せを含み得る。たとえば、通信サブシステム４２８は、セルラー通信、Ｗｉ−Ｆｉ通信、ブルートゥース通信、およびＧＰＳ通信を含み得る。ネットワーク４３４ｂは、ＬＡＮ、ＷＡＮ、コンピュータネットワーク、無線ネットワーク、遠隔通信ネットワーク、別の類似のネットワーク、またはそれらの任意の組合せなど、有線および／または無線のネットワークを包含し得る。たとえば、ネットワーク４３４ｂは、セルラーネットワーク、Ｗｉ−Ｆｉネットワーク、および／またはニアフィールドネットワークでよい。電源４１２は、ＵＥ  ４００の構成要素に交流（ＡＣ）または直流（ＤＣ）の電力を供給するように設定され得る。
【００８５】
本明細書で説明された特徴、利点、および／または機能は、ＵＥ  ４００の構成要素のうちの１つで実施されてよく、またはＵＥ  ４００の複数の構成要素にわたって分割されてもよい。さらに、本明細書で説明された特徴、利点、および／または機能は、ハードウェア、ソフトウェアまたはファームウェアの任意の組合せで実施され得る。一例では、通信サブシステム４２８は、本明細書で説明された構成要素のうちの任意のものを含むように設定され得る。さらに、処理回路４０２は、バス４０４を通じてそのような構成要素のうちの任意のものと通信するように設定され得る。別の例では、そのような構成要素のいかなるものも記憶装置に記憶されたプログラム命令によって表現され得、処理回路４０２によって実行されたとき、本明細書で説明された対応する機能を実施する。別の例では、そのような構成要素のいかなるものの機能性も処理回路４０２と通信サブシステム４２８の間で分割され得る。別の例では、そのような構成要素のいかなるものの非計算集約的機能もソフトウェアまたはファームウェアで実施され得、計算集約的機能はハードウェアで実施され得る。
【００８６】
図５は、いくつかの実施形態によって実施される機能が仮想化され得る仮想化環境５００を図示する概略ブロック図である。現在の状況では、仮想化は、装置またはデバイスの仮想バージョンを生成することを意味し、ハードウェアプラットフォーム、記憶デバイス、およびネットワーキングリソースを仮想化することを含み得る。本明細書で使用されるように、仮想化は、ノード（たとえば仮想化された基地局または仮想化された無線アクセスノード）、またはデバイス（たとえばＵＥ、無線デバイス、または任意の他のタイプの通信デバイス）またはそれらの構成要素に適用され得、機能性のうちの少なくとも一部分が（たとえば１つまたは複数のネットワークにおける１つまたは複数の物理処理ノード上で実行する、１つまたは複数のアプリケーション、コンポーネント、機能、仮想マシンまたは仮想コンテナによって）１つまたは複数の仮想構成要素として実施される実装形態に関するものである。
【００８７】
いくつかの実施形態では、本明細書で説明された機能のうちのいくつかまたはすべてが、１つまたは複数のハードウェアノード５０４よってホスティングされた１つまたは複数の仮想環境５００において実施される１つまたは複数の仮想マシンによって実行される仮想構成要素として実施され得る。さらに、仮想ノードが無線アクセスノードではない、または無線接続性を必要としない（たとえばコアネットワークノードである）実施形態では、ネットワークノードは完全に仮想化され得る。
【００８８】
各機能は、本明細書で開示された実施形態のいくつかの特徴、機能、および／または利点のうちのいくつかを実施するように機能する１つまたは複数のアプリケーション５０２（あるいはソフトウェアインスタンス、仮想機器、ネットワーク機能、仮想ノード、仮想ネットワーク機能などと称され得る）によって実施され得る。アプリケーション５０２は、処理回路５１０および記憶装置５１４を備えるハードウェア５０４をもたらす仮想化環境５００において実行される。記憶装置５１４が含んでいる命令５１６は処理回路５１０によって実行され得、それによって、アプリケーション５０２は、本明細書で開示された特徴、利点、および／または機能のうちの１つまたは複数をもたらすように機能する。
【００８９】
仮想化環境５００は、民生品の（ＣＯＴＳ）プロセッサ、専用ＡＳＩＣ、またはデジタルもしくはアナログのハードウェア構成要素もしくは専用プロセッサを含む何らかの他のタイプの処理回路であり得る、１つまたは複数のプロセッサまたは処理回路５１０のセットを備える汎用または専用のネットワークハードウェアデバイス５０４を備える。各ハードウェアデバイス５０４が備え得る記憶装置５１４−１は、処理回路５１０によって実行される命令５１６またはソフトウェアを一時的に記憶するための非持続的記憶装置でよい。各ハードウェアデバイス５０４が備え得る１つまたは複数のネットワークインターフェースコントローラ（ＮＩＣ）５１１は、ネットワークインターフェースカードとしても知られており、物理ネットワークインターフェース５１２を含む。各ハードウェアデバイス５０４は、処理回路５１０によって実行可能なソフトウェア５１６および／または命令を記憶している非一時的かつ持続的な機械可読記憶媒体５１４−２も含み得る。ソフトウェア５１６は、１つまたは複数の仮想化層５０８のインスタンスを作成するためのソフトウェア（ハイパーバイザとも称される）、仮想マシン５０６を実行するためのソフトウェア、ならびに仮想マシン５０６が本明細書で説明されたいくつかの実施形態に関連して説明された機能、特徴、および／または利点を実行することを可能にするソフトウェアを含む任意のタイプのソフトウェアを含み得る。
【００９０】
仮想マシン５０６は、仮想処理、仮想記憶、仮想ネットワーキングまたはインターフェース、および仮想記憶機構を備え、対応する仮想化層５０８すなわちハイパーバイザによって実行され得る。仮想機器５０２のインスタンスの異なる実施形態が、仮想マシン５０６のうちの１つまたは複数で実施され得、実装形態は異なるやり方で作製され得る。
【００９１】
処理回路５１０は、動作中にソフトウェア５１６を実行して、仮想コンピュータモニタ（ＶＭＭ）と称されることもあるハイパーバイザすなわち仮想化層５０８のインスタンスを作成する。仮想化層５０８は、仮想マシン５０６に対するネットワーキングハードウェアのように見える仮想動作プラットフォームを提示してよい。
【００９２】
図５に示されるように、ハードウェア５０４は一般的な構成要素または特定の構成要素を伴うスタンドアロンのネットワークノードでよい。ハードウェア５０４はアンテナ５２４を備えてよく、仮想化によっていくつかの機能を実施し得る。あるいは、ハードウェア５０４は、多くのハードウェアノードが連携し、とりわけアプリケーション５０２のライフサイクル管理を監視する管理および編成（ＭＡＮＯ）５１７によって管理される、より大きなハードウェアのクラスタの一部分（たとえばデータセンタまたはＣＰＥ）におけるものなどでよい。
【００９３】
ハードウェア５０４の仮想化は、いくつかの状況では、ネットワーク機能の仮想化（ＮＦＶ）と称される。ＮＦＶは、業界標準の多くのネットワーク機器のタイプを、データセンタおよびＣＰＥに配置され得る大容量のサーバハードウェア、物理スイッチ、および物理的記憶機構に統合するために使用され得る。
【００９４】
ＮＦＶの状況では、仮想マシン５０６は、あたかも有形で仮想化されていないマシン上で実行しているかのようにプログラムを実行する、物理マシンのソフトウェア実装形態であり得る。仮想マシン５０６、および仮想マシンの専用ハードウェアであろうと、仮想マシンのうち他のものと共有されるハードウェアであろうとハードウェア５０４のうちの仮想マシン５０６を実行する部分の各々が、別個の仮想ネットワーク要素（ＶＮＥ）を形成する。
【００９５】
依然としてＮＦＶの状況において、仮想ネットワーク機能（ＶＮＦ）がハンドリングを担う特定のネットワーク機能は、ハードウェア５０４のネットワーキングインフラストラクチュアの最上部における１つまたは複数の仮想マシン５０６で実行され、図５のアプリケーション５０２に対応するものである。
【００９６】
いくつかの実施形態では、１つまたは複数の無線ユニット５１８は、それぞれが１つまたは複数の送信器５２２および１つまたは複数の受信器５２０を含み、１つまたは複数のアンテナ５２４に結合され得る。無線ユニット５１８は、１つまたは複数の適切なネットワークインターフェースを通じてハードウェアノード５０４と直接通信してよく、仮想構成要素と組み合わせて使用され得て、無線アクセスノードまたは基地局など無線能力を伴う仮想ノードをもたらす。
【００９７】
いくつかの実施形態では、いくつかのシグナリングは、ハードウェアノード５０４と無線ユニット５１８の間の通信用に代替として使用され得る制御システム５２６の使用の影響を受ける可能性がある。
【００９８】
図６は、いくつかの実施形態による、中間ネットワークを介してホストコンピュータに接続された遠隔通信ネットワークを図示するものである。
【００９９】
図６を参照して、一実施形態によれば、通信システムが含む３ＧＰＰタイプセルラーネットワークなどの遠隔通信ネットワーク６００は、無線アクセスネットワークなどのアクセスネットワーク６０２と、コアネットワーク６０８とを備える。アクセスネットワーク６０２は、ノードＢ、ｅＮＢ、ｇＮＢなどの複数の基地局６０４ａ、６０４ｂ、６０４ｃ、またはそれぞれ対応するカバレッジエリア６０６ａ、６０６ｂ、６０６ｃを規定する他のタイプの無線アクセスポイントを備える。各基地局６０４ａ、６０４ｂ、６０４ｃは、有線または無線の接続６１０を通じてコアネットワーク６０８に接続可能である。カバレッジエリア６０６ｃに配置された第１のＵＥ  ６２２は、対応する基地局６０４ｃに無線で接続するかまたは基地局６０４ｃによってページングされるように設定されている。カバレッジエリア６０６ａにおける第２のＵＥ  ６２４は、対応する基地局６０４ａに無線で接続可能である。この例では複数のＵＥ  ６２２、６２４が図示されているが、開示された実施形態は、単独のＵＥがカバレッジエリア６０６にある状況、または単独のＵＥが対応する基地局６０４に接続している状況にも同様に適用可能である。
【０１００】
遠隔通信ネットワーク６００自体が接続されているホストコンピュータ６１８は、スタンドアロンのサーバのハードウェアおよび／またはソフトウェア、クラウドで実施されたサーバ、分散型サーバ、またはサーバファームにおける処理リソースで具現され得るものである。ホストコンピュータ６１８はサービスプロバイダの所有権または制御下にあってよく、あるいはサービスプロバイダによって、またはサービスプロバイダのために運用されてよい。遠隔通信ネットワーク６００とホストコンピュータ６１８の間の接続６１４および６１６は、コアネットワーク６０８からホストコンピュータ６１８まで直接延在してよく、または任意選択の中間ネットワーク６１２を介したものでもよい。中間ネットワーク６１２は、パブリックネットワーク、プライベートネットワーク、またはホスティングされたネットワークのうちの１つ、または２つ以上の組合せでよく、中間ネットワーク６１２は、存在する場合には、バックボーンネットワークまたはインターネットでよく、詳細には、中間ネットワーク６１２は、２つ以上のサブネットワーク（図示せず）を備え得る。
【０１０１】
図６の通信システムは、接続されたＵＥ  ６２２、６２４とホストコンピュータ６１８の間の接続性を全体として可能にするものである。接続性はオーバーザトップ（ＯＴＴ）接続６２０として説明され得る。ホストコンピュータ６１８と、接続されたＵＥ  ６２２、６２４とは、アクセスネットワーク６０２、コアネットワーク６０８、任意の中間ネットワーク６１２、および可能なさらなるインフラストラクチュア（図示せず）を仲介物として使用して、ＯＴＴ接続６２０を介してデータおよび／またはシグナリングを通信するように設定されている。ＯＴＴ接続６２０は、ＯＴＴ接続６２０を通す、関与している通信デバイスが、アップリンクおよびダウンリンクの通信のルーティングを認識しないという意味でトランスペアレントであり得る。たとえば、基地局６０４は、ホストコンピュータ６１８を起源とする、接続されているＵＥ  ６２２に転送される（たとえばハンドオーバされる）べきデータを伴う着信ダウンリンク通信の過去のルーティングについて、通知されなくてよく、通知される必要もない。同様に、基地局６０４は、ＵＥ  ６２２を起源とする、ホストコンピュータ６１８に向けた発信アップリンク通信の将来のルーティングを認識する必要はない。
【０１０２】
図７は、いくつかの実施形態による、部分的無線接続を通じて、基地局を介してＵＥと通信するホストコンピュータを図示するものである。
【０１０３】
次に、前節で論じられたＵＥ、基地局、およびホストコンピュータの、一実施形態による例示の実装形態を、図７を参照しながら説明する。通信システム７００において、ホストコンピュータ７０２が備えるハードウェア７０８に含まれる通信インターフェース７１０は、通信システム７００の異なる通信デバイスのインターフェースに対する有線または無線の接続をセットアップして維持するように設定されている。ホストコンピュータ７０２がさらに備える処理回路７１２は、記憶機構および／または処理能力を有し得る。詳細には、処理回路７１２は、命令を実行するように適合された１つまたは複数のプログラマブルプロセッサ、ＡＳＩＣ、ＦＰＧＡまたはこれらの組合せ（図示せず）を備え得る。ホストコンピュータ７０２がさらに含むソフトウェア７０４は、ホストコンピュータ７０２に記憶されているか、またはホストコンピュータ７０２によるアクセスが可能であり、処理回路７１２によって実行可能である。ソフトウェア７０４はホストアプリケーション７０６を含む。ホストアプリケーション７０６は、ＵＥ  ７２６およびホストコンピュータ７０２において終結するＯＴＴ接続７３８によって接続されているＵＥ  ７２６などの遠隔ユーザにサービスを提供するように動作可能であり得る。ホストアプリケーション７０６は、遠隔ユーザにサービスを提供するとき、ＯＴＴ接続７３８を使用して送信されるユーザデータを供給してよい。
【０１０４】
通信システム７００がさらに含む基地局７１４は、遠隔通信システムに与えられるものであり、ホストコンピュータ７０２およびＵＥ  ７２６との通信を可能にするハードウェア７１８を備える。ハードウェア７１８は、通信システム７００の異なる通信デバイスのインターフェースに対する有線または無線の接続をセットアップして維持するための通信インターフェース７２０、ならびに、少なくとも基地局７１４によってサーブされたカバレッジエリア（図７には示されていない）内のＵＥ  ７２６に対する無線接続７４２をセットアップして維持するための無線インターフェース７２２を含み得る。通信インターフェース７２０は、ホストコンピュータ７０２に対する接続７４０を容易にするように設定されてよい。接続７４０は直接的でよく、あるいは遠隔通信システムのコアネットワーク（図７には示されていない）および／または遠隔通信システムの外部の１つまたは複数の中間ネットワークを通過してよい。示された実施形態において、基地局７１４のハードウェア７１８がさらに含む処理回路７２４は、命令を実行するように適合された１つまたは複数のプログラマブルプロセッサ、ＡＳＩＣ、ＦＰＧＡ、またはこれらの組合せ（図示せず）を備え得る。基地局７１４がさらに有するソフトウェア７１６は、内部に記憶されているか、または外部接続によってアクセス可能である。
【０１０５】
通信システム７００は、既に言及されたＵＥ  ７２６をさらに含む。通信システム７００のハードウェア７３２が含み得る無線インターフェース７３４は、ＵＥ  ７２６が現在配置されているカバレッジエリアにサーブする基地局７１４に対する無線接続７４２をセットアップして維持するように設定されている。ＵＥ  ７２６のハードウェア７３２がさらに含む処理回路７３６は、命令を実行するように適合された１つまたは複数のプログラマブルプロセッサ、ＡＳＩＣ、ＦＰＧＡ、またはこれらの組合せ（図示せず）を備え得る。ＵＥ  ７２６がさらに含むソフトウェア７２８は、ＵＥ  ７２６に記憶されているか、またはＵＥ  ７２６によるアクセスが可能であり、処理回路７３６によって実行可能である。ソフトウェア７２８はクライアントアプリケーション７３０を含む。クライアントアプリケーション７３０は、ホストコンピュータ７０２のサポートを伴って、ＵＥ  ７２６を介して、人間のユーザまたは人間以外のユーザにサービスを提供するように動作可能であり得る。ホストコンピュータ７０２において実行中のホストアプリケーション７０６は、ＵＥ  ７２６およびホストコンピュータ７０２において終結するＯＴＴ接続７３８を通じて、実行中のクライアントアプリケーション７３０と通信し得る。ユーザにサービスを提供するとき、クライアントアプリケーション７３０は、ホストアプリケーション７０６から要求データを受信し、要求データに応答してユーザデータを供給してよい。ＯＴＴ接続７３８は、要求データとユーザデータの両方を転送し得る。クライアントアプリケーション７３０は、供給するユーザデータを生成するためにユーザと対話してよい。
【０１０６】
図７のホストコンピュータ７０２、基地局７１４、およびＵＥ  ７２６は、それぞれ図６のホストコンピュータ６１８、基地局６０４ａ、６０４ｂ、６０４ｃのうちの１つ、およびＵＥ  ６２２、６２４のうちの１つに類似のものまたは同一のものでよいことが注目される。つまり、これらのエンティティの内部作用は図７に独立して示されたものでよく、周囲のネットワークトポロジは図６のものでよい。
【０１０７】
図７において、ＯＴＴ接続７３８は、ホストコンピュータ７０２とＵＥ  ７２６の間の基地局７１４を介した通信を図示するために抽象的に描かれており、いかなる仲介のデバイスにも、これらのデバイスを介したメッセージの正確なルーティングにも、明示的な参照はない。ネットワークインフラストラクチャはルーティングを決定してよく、ルーティングは、ＵＥ  ７２６もしくはホストコンピュータ７０２を運用するサービスプロバイダまたは両方から見えないように設定されてよい。ＯＴＴ接続７３８が有効であるとき、ネットワークインフラストラクチャは、（たとえばネットワークのロードバランシングの配慮または再設定に基づいて）ルーティングの動的変更をさらに裁定してよい。
【０１０８】
ＵＥ  ７２６と基地局７１４の間の無線接続７４２は、本開示の全体にわたって説明された実施形態の教示に従うものである。様々な実施形態のうちの１つまたは複数が、無線接続７４２が最終区分を形成するＯＴＴ接続７３８を使用して、ＵＥ  ７２６に提供されるＯＴＴサービスの性能を改善する。
【０１０９】
１つまたは複数の実施形態を改善するデータレート、レイテンシ、および他の要因を監視するために、測定プロシージャが用意されてよい。測定結果の変動に応答してホストコンピュータ７０２とＵＥ  ７２６の間のＯＴＴ接続７３８を再構成するための、任意選択のネットワーク機能がさらに存在し得る。測定プロシージャおよび／またはＯＴＴ接続７３８を再構成するためのネットワーク機能は、ホストコンピュータ７０２のソフトウェア７０４およびハードウェア７０８、またはＵＥ  ７２６のソフトウェア７２８およびハードウェア７３２、あるいは両方で実施されてよい。いくつかの実施形態では、ＯＴＴ接続７３８が通る通信デバイスの中に、または同デバイスに関連して、センサ（図示せず）が配備されてよく、センサは、上記の例の監視された量の値を供給することにより、あるいはソフトウェア７０４、７２８が監視された量を計算するかまたは推定するのに使用される他の物理量の値を供給することにより、測定プロシージャに関与し得る。ＯＴＴ接続７３８の再構成は、メッセージフォーマット、再送信設定、望ましいルーティングなどを含み得、基地局７１４に影響を及ぼす必要はなく、基地局７１４にとって未知のものまたは感知できないものでよい。そのようなプロシージャおよび機能は、当技術において既知の、実施され得るものである。ある実施形態では、測定は、ホストコンピュータ７０２による、スループット、伝搬時間、レイテンシ等の測定を容易にする、専用のＵＥシグナリングを包含し得る。測定は、ソフトウェア７０４および７２８が、伝搬時間、エラーなどを監視しながら、ＯＴＴ接続７３８を使用してメッセージを送信するとき、詳細には空または「ダミー」のメッセージを送信するとき、実施されてよい。
【０１１０】
図８は、一実施形態によって通信システムにおいて実施される方法８００を図示する流れ図である。通信システムは、図４および図５を参照しながら説明されたものであり得るホストコンピュータ、基地局、およびＵＥを含む。簡潔さのために、この段落では図８の参照のみを含むことにする。ステップ８０２において、ホストコンピュータはユーザデータを供給する。ステップ８０２のサブステップ８０４（任意選択でよい）において、ホストコンピュータはホストアプリケーションを実行することによってユーザデータを供給する。ステップ８０６において、ホストコンピュータは、ＵＥにユーザデータを搬送する送信を開始する。ステップ８０８（任意選択でよい）において、基地局は、本開示の全体にわたって説明された実施形態の教示に従って、ホストコンピュータが起動した送信で搬送されたユーザデータをＵＥに送信する。ステップ８１０（これも任意選択でよい）において、ＵＥは、ホストコンピュータによって実行されるホストアプリケーションに関連したクライアントアプリケーションを実行する。
【０１１１】
図９は、一実施形態によって通信システムにおいて実施される方法９００を図示する流れ図である。通信システムは、図４および図５を参照しながら説明されたものであり得るホストコンピュータ、基地局、およびＵＥを含む。本開示の簡単さのために、この段落では図９の参照のみを含むことにする。方法９００のステップ９０２において、ホストコンピュータはユーザデータを供給する。任意選択のサブステップ（図示せず）において、ホストコンピュータはホストアプリケーションを実行することによってユーザデータを供給する。ステップ９０４において、ホストコンピュータは、ＵＥにユーザデータを搬送する送信を開始する。送信は、本開示の全体にわたって説明された実施形態の教示に従って、基地局を通されてよい。ステップ９０６（任意選択でよい）において、ＵＥは、送信で搬送されたユーザデータを受信する。
【０１１２】
図１０は、一実施形態によって通信システムにおいて実施される方法１０００を図示する流れ図である。通信システムは、図４および図５を参照しながら説明されたものであり得るホストコンピュータ、基地局、およびＵＥを含む。本開示の簡単さのために、この段落では図１０の参照のみを含むことにする。ステップ１００２（任意選択でよい）において、ＵＥは、ホストコンピュータによって供給された入力データデータを受信する。それに加えて、またはその代わりに、ステップ１００６において、ＵＥがユーザデータを供給する。ステップ１００６のサブステップ１００８（任意選択でよい）において、ＵＥはクライアントアプリケーションを実行することによってユーザデータを供給する。ステップ１００２のサブステップ１００４（任意選択でよい）において、ＵＥは、ホストコンピュータによって供給されて受信された入力データに反応してユーザデータを供給するクライアントアプリケーションを実行する。ユーザデータを供給するとき、実行されるクライアントアプリケーションは、ユーザから受信されたユーザ入力をさらに考慮に入れてよい。ユーザデータが供給された特定のやり方に関係なく、ＵＥは、サブステップ１０１０（任意選択でよい）において、ホストコンピュータへのユーザデータの送信を開始する。この方法のステップ１０１２において、ホストコンピュータは、本開示の全体にわたって説明された実施形態の教示に従って、ＵＥから送信されたユーザデータを受信する。
【０１１３】
図１１は、一実施形態によって通信システムにおいて実施される方法１１００を図示する流れ図である。通信システムは、図４および図５を参照しながら説明されたものであり得るホストコンピュータ、基地局、およびＵＥを含む。本開示の簡単さのために、この段落では図１１の参照のみを含むことにする。ステップ１１０２（任意選択でよい）において、基地局は、本開示の全体にわたって説明された実施形態の教示に従って、ＵＥからユーザデータを受信する。ステップ１１０４（任意選択でよい）において、基地局は、受信されたユーザデータのホストコンピュータへの送信を開始する。ステップ１１０６（任意選択でよい）において、ホストコンピュータは、基地局が起動した送信で搬送されたユーザデータを受信する。
【０１１４】
図１２は、無線ネットワーク（たとえば図３に示された無線ネットワーク）における装置１２００の概略ブロック図を図示するものである。装置１２００は、無線デバイスまたはネットワークノード（たとえば図３に示された無線デバイス３０４またはネットワークノード３３４）において実施され得る。装置１２００は、図１３を参照しながら説明された例示の方法を実行するように動作可能であり、場合により、本明細書で開示された任意の他のプロセスまたは方法を実行するように動作可能である。図１３の方法は、必ずしも装置１２００が単独で実行しなければならないわけではないことも理解されたい。この方法の少なくともいくつかの動作は、１つまたは複数の他のエンティティによって実施され得る。
【０１１５】
仮想装置１２００が備え得る処理回路は、１つまたは複数のマイクロプロセッサまたはマイクロコントローラ、ならびに、ＤＳＰ、専用デジタルロジックなどを含み得る他のデジタルハードウェアを含み得る。処理回路は、ＲＯＭ、ＲＡＭ、キャッシュメモリ、フラッシュメモリデバイス、光学記憶デバイスなどの１つまたはいくつかのタイプの記憶装置を含み得る記憶装置に記憶されたプログラムコードを実行するように設定されてよい。記憶装置に記憶されたプログラムコードは、１つまたは複数の遠隔通信プロトコルおよび／またはデータ通信プロトコルを実行するためのプログラム命令、ならびに、いくつかの実施形態において本明細書で説明された技術のうちの１つまたは複数を実行するための命令を含む。いくつかの実装形態では、処理回路は、受信ユニット１２０２、加算ユニット１２０４、通信ユニット１２０６、および装置１２００の任意の他の適切なユニットに、本開示の１つまたは複数の実施形態による対応する機能を実施させるように使用され得る。
【０１１６】
図１２に図示されるように、装置１２００は、受信ユニット１２０２、加算ユニット１２０４、および通信ユニット１２０６を備える。受信ユニット１２０２は、ネットワークノードから、初期のアクセスプロシージャのＭｓｇ２で時間領域リソース割り当て情報を受信するように設定されている。加算ユニット１２０４は、Ｍｓｇ２で時間領域リソース割り当て情報を受信するのに応答して、時間領域リソース割り当てでシグナリングされたＫ２の値にオフセットを加算するように設定されている。通信ユニット１２０６は、Ｍｓｇ２に従って、情報を通信し（たとえば送信し、または受信し）、かつ／または処理するように設定されている。
【０１１７】
「ユニット」という用語は、電子工学、電気デバイス、および／または電子デバイスの分野における従来の意味を有し得、たとえば本明細書で説明されたような電気回路および／または電子回路、デバイス、モジュール、プロセッサ、記憶装置、ソリッドステートおよび／またはディスクリートのロジックデバイス、それぞれのタスク、プロシージャ、計算、出力、および／または表示機能を実行するためのコンピュータプログラムまたは命令、などを含み得る。
【０１１８】
図１３はいくつかの実施形態による方法１３００を図示するものである。
【０１１９】
図１３を参照して、方法１３００は、図１２のユニット１２０２、１２０４、および１００６のそれぞれの機能に対応する動作１３０２、１３０４、および１３０６を実施することを含む。
【０１２０】
上記で論じられたように、いくつかの実施形態では、ＰＵＳＣＨおよびＭｓｇ３用の単一の時間領域リソース割り当て表がシグナリングされる／設定される。Ｍｓｇ３用の時間領域リソース割り当て表は（Ｍｓｇ２でシグナリングされるときには）、シグナリングされた／設定されたＰＵＳＣＨ表から、オフセットを加算することによって導出される。
【０１２１】
実施形態１：ＰＵＳＣＨ表の再利用
デフォルトのＰＵＳＣＨ表またはＳＩＢ  １に設定されたＰＵＳＣＨ表（または専用のＰＵＳＣＨ表）が再利用される。しかしながら、追加の処理時間を反映するために、時間領域リソース割り当てでシグナリングされたＫ２の値にオフセットが加算される。このオフセットが加算されるのは、時間領域リソース割り当てがＭｓｇ２でシグナリングされた場合のみであることに留意されたい。オフセットは、物理ダウンリンク制御チャネル（ＰＤＣＣＨ）復号と比較して、Ｍｓｇ２復号のために必要な追加の処理時間に関連して変化し、アップリンクヌメロロジーμＵＬおけるスロットの、次に大きい（または、それほど望ましくないが、次に小さい）数に丸められる。追加の処理時間がＴａｄｄで表され、Ｍｓｇ２における時間領域リソース割り当てがＫ２の値Ｋ２，Ｍｓｇ２をシグナリングする場合、真のＫ２は（切り上げを想定して）次式によって決定され、
0006782373.tif 000019
ＴＵＬ，ｓｌｏｔはアップリンクスロットの期間である。一例では、
0006782373.tif 000020
となり、Ｎ１は表２からのものであり、追加のＤＭ−ＲＳが設定されている。実施形態２では、Ｔａｄｄの他の値が提案される。
【０１２２】
実施形態２：Ｔａｄｄの加算値
上記の説明は、（非常に短いＰＤＳＣＨに関する復号は、ＰＤＳＣＨが終了した後に、より長いＰＤＳＣＨよりも少し延びる可能性があるので）短いＰＤＳＣＨについては復号時間が延長されることを例証するものである。したがって、Ｍｓｇ２がタイプＡを用いる短いＰＤＳＣＨにおいて送信される場合には、Ｔａｄｄに加算値が加算されてよい。一例として、マッピングタイプＡを用いるＰＤＳＣＨがｉ番目（ｉ＜７）のシンボルで停止する場合には、ｉ＜７であればｄ１，３＝７−ｉであり、そうでなければｄ１，３＝０とする追加の項を加算することが考えられ得る。
0006782373.tif 000021
【０１２３】
他方では、ＰＤＳＣＨが非常に長い（長いがスロットアグリゲーションは用いないか、またはスロットアグリゲーションを用いてでもＰＤＳＣＨを送信する）場合には、ＰＤＳＣＨは後に完成され、したがって復号も後に完成される。Ｋ２は、Ｍｓｇ２が送信される第１のスロットの開始に対して測定されるので、ＰＤＳＣＨの長さを増加させる別の被加数ｄ’１，３が加算され得る。一般に、ＰＤＳＣＨ（Ｍｓｇ２を含んでいる）の長さの関数であるｄ１，３を得ることが考えられ得る。
【０１２４】
別のＴａｄｄの別の例は以下の通りである。ＵＥが複数のセルに対して設定され、（ＴＸおよび／またはＲＸのどちらかの）セル間の時間差が０よりも大きいものであり得、しかもＭｓｇ３が、Ｍｓｇ２を送るために使用されるＤＬ１とは異なるＤＬ２に関連したＵＬ２上で送信される場合には、ＤＬ２（したがってＵＬ２）がＤＬ１よりも最大の許容時間差だけ早くなってしまう可能性がある。この値を補償するために、最大時間差を反映する値ｄ１，２が加算され得る。ＵＥが、ゼロよりも大きい時間差を有し得る複数のセルに対して設定される（または設定されて活性化される）場合には、ｄ１，２はゼロよりも大きくなるはずである。ＵＥが複数のセルに対して設定される（または設定されて活性化される）と直ちに、予期される最大時間差とは無関係にｄ１，２＞０とすることが考えられ得る。ｄ１，２≠０の場合には、固定値または実際の最大時間差もしくは実際に予期される最大時間差に依拠する値にすることが考えられ得る。
0006782373.tif 000022
【０１２５】
ｄ１，２とｄ１，３を組み合わせることも考えられ得る。
0006782373.tif 000023
【０１２６】
限定するわけではないが、本開示のいくつかの例示の実施形態は以下の通りである。
【０１２７】
グループＡの実施形態
実施形態１：無線デバイス（たとえばＵＥ）によって実施される方法であって、（ａ）初期のアクセスプロシージャのＭｓｇ２で、ネットワークノードから時間領域リソース割り当て情報を受信することと、（ｂ）Ｍｓｇ２で時間領域リソース割り当て情報を受信するのに応答して、時間領域リソース割り当てでシグナリングされたＫ２の値にオフセットを加算することと、（ｃ）Ｍｓｇ２に従って、情報を通信すること（たとえば送信すること、または受信すること）および／または処理することとを含む方法。
【０１２８】
実施形態１．１：オフセットが、ＰＤＣＣＨ復号と比較して、Ｍｓｇ２復号のために必要な追加の処理時間に基づき、アップリンクヌメロロジーμＵＬおけるスロットの、次に大きい（または、それほど望ましくないが、次に小さい）数に丸められる、実施形態１に記載の方法。
【０１２９】
実施形態１．２：追加の処理時間がＴａｄｄで表され、Ｍｓｇ２における時間領域リソース割り当てがＫ２の値Ｋ２，Ｍｓｇ２をシグナリングし、真のＫ２が（切り上げを想定して）次式によって決定され、
0006782373.tif 000024
ＴＵＬ，ｓｌｏｔはアップリンクスロットの期間である、実施形態１．１に記載の方法。一例では、
0006782373.tif 000025
となり、Ｎ１は表２からのものであり、追加のＤＭ−ＲＳが設定されている。
【０１３０】
実施形態１．３：Ｍｓｇ２がタイプＡを用いる短いＰＤＳＣＨにおいて送信される場合には、Ｔａｄｄに加算値が加算される、実施形態１に記載の方法。
【０１３１】
実施形態１．３．１：マッピングタイプＡを用いるＰＤＳＣＨがｉ番目（ｉ＜７）のシンボルで停止する場合には、追加の項が、ｉ＜７であればｄ１，３＝７−ｉ、そうでなければｄ１，３＝０、として加算される、実施形態１．３に記載の方法。
0006782373.tif 000026
【０１３２】
実施形態１．４：ＰＤＳＣＨが比較的長い（長いがスロットアグリゲーションは用いないか、またはスロットアグリゲーションを用いてでもＰＤＳＣＨを送信する）場合には、ＰＤＳＣＨは後に完成され、したがって復号も後に完成される、実施形態１に記載の方法。Ｋ２は、Ｍｓｇ２が送信される第１のスロットの開始に対して測定されるので、ＰＤＳＣＨの長さを増加させる別の被加数ｄ’１，３が加算される。一般に、ＰＤＳＣＨ（Ｍｓｇ２を含んでいる）の長さの関数であるｄ１，３を得ることが考えられ得る。
【０１３３】
実施形態１．５：ＵＥが複数のセルに対して設定され、（送信および／または受信のどちらかの）セル間の時間差が０よりも大きいものであり得、しかもＭｓｇ３が、Ｍｓｇ２を送るために使用されるＤＬ１とは異なるＤＬ２に関連したＵＬ２上で送信され、ＤＬ２（したがってＵＬ２）がＤＬ１よりも最大の許容時間差だけ早くなってしまう可能性がある、実施形態１に記載の方法。この値を補償するために、最大時間差を反映する値ｄ１，２が加算され得る。ＵＥが、ゼロよりも大きい時間差を有し得る複数のセルに対して設定される（または設定されて活性化される）場合には、ｄ１，２はゼロよりも大きくなるはずである。ＵＥが複数のセルに対して設定される（または設定されて活性化される）と直ちに、予期される最大時間差とは無関係にｄ１，２＞０とすることが考えるられ得る。ｄ１，２≠の場合には、固定値または実際の最大時間差もしくは実際に予期される最大時間差に依拠する値にすることが考えられ得る。
0006782373.tif 000027
【０１３４】
実施形態１．６：ｄ１，２とｄ１，３が次式のように組み合わされる、実施形態１．５に記載の方法。
0006782373.tif 000028
【０１３５】
実施形態２：ユーザデータを供給することと、ユーザデータを基地局に送信することによってホストコンピュータに転送することとをさらに含む、実施形態１から１．６のいずれか１つに記載の方法。
【０１３６】
グループＢの実施形態
実施形態３：基地局によって実施される方法であって、初期のアクセスプロシージャのＭｓｇ２で、基地局からユーザ機器に時間領域リソース割り当て情報を送信することであって、ＵＥが、Ｍｓｇ２で時間領域リソース割り当て情報を受信するのに応答して、時間領域リソース割り当てでシグナリングされたＫ２の値にオフセットを加算する、時間領域リソース割り当て情報を送信することを含む方法。
【０１３７】
実施形態４：ユーザデータを取得することと、ユーザデータをホストコンピュータまたは無線デバイスに転送することとをさらに含む、実施形態１から３のいずれか１つに記載の方法。
【０１３８】
グループＣの実施形態
実施形態５：グループＡの任意の実施形態の任意のステップを実施するように設定された処理回路と、無線デバイスに電力を供給するように設定された電源回路とを備える無線デバイス。
【０１３９】
実施形態６：グループＢの任意の実施形態の任意のステップを実施するように設定された処理回路と、無線デバイスに電力を供給するように設定された電源回路とを備える基地局。
【０１４０】
実施形態７：無線信号を送受信するように設定されたアンテナと、アンテナと処理回路の間で通信される信号を調整するように設定されてアンテナおよび処理回路に接続された無線フロントエンド回路であって、処理回路が、グループＡの任意の実施形態の任意のステップを実施するように設定されている、無線フロントエンド回路と、処理回路がＵＥへの情報の入力を処理することを可能にするように設定されて処理回路に接続された入力インターフェースと、処理回路によって処理されたＵＥからの情報を出力するように設定されて処理回路に接続された出力インターフェースと、ＵＥに電力を供給するように設定されて処理回路に接続されたバッテリーとを備えるユーザ機器（ＵＥ）。
【０１４１】
実施形態８：ホストコンピュータを含む通信システムであって、ホストコンピュータが、ユーザデータを供給するように設定された処理回路と、ユーザデータを、ユーザ機器（ＵＥ）に送信するために、セルラーネットワークに転送するように設定された通信インターフェースとを備え、セルラーネットワークが、無線インターフェースおよび処理回路を有する基地局を備え、基地局の処理回路が、グループＢの任意の実施形態の任意のステップを実施するように設定されている、通信システム。
【０１４２】
実施形態９：基地局をさらに含む、実施形態８に記載の通信システム。
【０１４３】
実施形態１０：ＵＥをさらに含む通信システムであって、ＵＥが前記基地局と通信するように設定されている、実施形態８または９に記載の通信システム。
【０１４４】
実施形態１１：ホストコンピュータの処理回路が、ホストアプリケーションを実行することによってユーザデータを供給するように設定されており、ＵＥが、ホストアプリケーションに関連したクライアントアプリケーションを実行するように設定された処理回路を備える、実施形態８から１０のいずれか１つに記載の通信システム。
【０１４５】
実施形態１２：ホストコンピュータ、基地局、およびユーザ機器（ＵＥ）を含む通信システムにおいて実施される方法であって、ホストコンピュータにおいて、ユーザデータを供給することと、ホストコンピュータにおいて、基地局を備えるセルラーネットワークを通じてＵＥにユーザデータを搬送する送信を開始することであって、基地局がグループＢの任意の実施形態の任意のステップを実施する、送信を開始することとを含む方法。
【０１４６】
実施形態１３：基地局においてユーザデータを送信することをさらに含む、実施形態１２に記載の方法。
【０１４７】
実施形態１４：ホストコンピュータにおいてホストアプリケーションを実行することによってユーザデータが供給される方法であって、ＵＥにおいて、ホストアプリケーションに関連したクライアントアプリケーションを実行することをさらに含む、実施形態１２または１３に記載の方法。
【０１４８】
実施形態１５：基地局と通信するように設定されたユーザ機器（ＵＥ）であって、実施形態１２から１４のいずれか１つに記載の方法を実施するように設定された無線インターフェースおよび処理回路を備えるＵＥ。
【０１４９】
実施形態１６：ホストコンピュータを含む通信システムであって、ホストコンピュータが、ユーザデータを供給するように設定された処理回路と、ユーザデータを、ユーザ機器（ＵＥ）に送信するために、セルラーネットワークに転送するように設定された通信インターフェースとを備え、ＵＥが無線インターフェースおよび処理回路を備え、ＵＥの構成要素が、グループＡの任意の実施形態の任意のステップを実施するように設定されている、通信システム。
【０１５０】
実施形態１７：セルラーネットワークが、ＵＥと通信するように設定された基地局をさらに含む、実施形態１６に記載の通信システム。
【０１５１】
実施形態１８：ホストコンピュータの処理回路が、ホストアプリケーションを実行することによってユーザデータを供給するように設定されており、ＵＥの処理回路が、ホストアプリケーションに関連したクライアントアプリケーションを実行するように設定されている、実施形態１６または１７に記載の通信システム。
【０１５２】
実施形態１９：ホストコンピュータ、基地局、およびユーザ機器（ＵＥ）を含む通信システムにおいて実施される方法であって、ホストコンピュータにおいて、ユーザデータを供給することと、ホストコンピュータにおいて、基地局を備えるセルラーネットワークを通じてＵＥにユーザデータを搬送する送信を開始することであって、ＵＥがグループＡの任意の実施形態の任意のステップを実施する、送信を開始することとを含む方法。
【０１５３】
実施形態２０：ＵＥにおいて基地局からのユーザデータを受信することをさらに含む、実施形態１９に記載の方法。
【０１５４】
実施形態２１：ホストコンピュータを含む通信システムであって、ホストコンピュータが、ユーザ機器（ＵＥ）から基地局への送信に由来するユーザデータを受信するように設定された通信インターフェースを備え、ＵＥが無線インターフェースおよび処理回路を備え、ＵＥの処理回路がグループＡの任意の実施形態の任意のステップを実施するように設定されている、通信システム。
【０１５５】
実施形態２２：ＵＥをさらに含む、実施形態２１に記載の通信システム。
【０１５６】
実施形態２３：基地局をさらに含む通信システムであって、基地局が、ＵＥと通信するように設定された無線インターフェースと、ＵＥから基地局への送信によって搬送されるユーザデータをホストコンピュータに転送するように設定された通信インターフェースとを備える、実施形態２１または２２に記載の通信システム。
【０１５７】
実施形態２４：ホストコンピュータの処理回路がホストアプリケーションを実行するように設定されており、ＵＥの処理回路が、ホストアプリケーションに関連したクライアントアプリケーションを実行することによってユーザデータを供給するように設定されている、実施形態２１から２３のいずれか１つに記載の通信システム。
【０１５８】
実施形態２５：ホストコンピュータの処理回路が、ホストアプリケーションを実行することによって要求データを供給するように設定されており、ＵＥの処理回路が、ホストアプリケーションに関連したクライアントアプリケーションを実行することによって要求データに応答してユーザデータを供給するように設定されている、実施形態２１から２４のいずれか１つに記載の通信システム。
【０１５９】
実施形態２６：ホストコンピュータ、基地局、およびユーザ機器（ＵＥ）を含む通信システムにおいて実施される方法であって、ホストコンピュータにおいて、ＵＥから基地局に送信されたユーザデータを受信することであって、ＵＥがグループＡの任意の実施形態の任意のステップを実施する、ユーザデータを受信することを含む方法。
【０１６０】
実施形態２７：ＵＥにおいてユーザデータを基地局に供給することをさらに含む、実施形態２６に記載の方法。
【０１６１】
実施形態２８：ＵＥにおいて、クライアントアプリケーションを実行することにより、送信されるべきユーザデータを供給することと、ホストコンピュータにおいて、クライアントアプリケーションに関連したホストアプリケーションを実行することとをさらに含む、実施形態２６または２７に記載の方法。
【０１６２】
実施形態２９：ＵＥにおいてクライアントアプリケーションを実行することと、ＵＥにおいて、クライアントアプリケーションへの入力データを受信することであって、入力データは、ホストコンピュータにおいて、クライアントアプリケーションに関連したホストアプリケーションを実行することによって供給され、送信されるべきユーザデータが、クライアントアプリケーションによって入力データに応答して供給される、入力データを受信することとをさらに含む、実施形態２６から２８のいずれか１つに記載の方法。
【０１６３】
実施形態３０：ユーザ機器（ＵＥ）から基地局への送信に由来するユーザデータを受信するように設定された通信インターフェースを備えるホストコンピュータを含む通信システムであって、基地局が無線インターフェースおよび処理回路を備え、基地局の処理回路が、グループＢの任意の実施形態の任意のステップを実施するように設定されている、通信システム。
【０１６４】
実施形態３１：基地局をさらに含む、実施形態３０に記載の通信システム。
【０１６５】
実施形態３２：ＵＥをさらに含む通信システムであって、ＵＥが基地局と通信するように設定されている、実施形態３０または３１に記載の通信システム。
【０１６６】
実施形態３３：ホストコンピュータの処理回路がホストアプリケーションを実行するように設定されており、ＵＥが、ホストアプリケーションに関連したクライアントアプリケーションを実行することにより、ホストコンピュータによって受信されるべきユーザデータを供給するように設定されている、実施形態３０から３２のいずれか１つに記載の通信システム。
【０１６７】
実施形態３４：ホストコンピュータ、基地局、およびユーザ機器（ＵＥ）を含む通信システムにおいて実施される方法であって、ホストコンピュータにおいて、基地局がＵＥから受信した送信に由来するユーザデータを基地局から受信することであって、ＵＥがグループＡの任意の実施形態の任意のステップを実施する、ユーザデータを基地局から受信することを含む方法。
【０１６８】
実施形態３５：基地局においてＵＥからのユーザデータを受信することをさらに含む、実施形態３４に記載の方法。
【０１６９】
実施形態３６：基地局において、受信したユーザデータのホストコンピュータへの送信を開始することをさらに含む、実施形態３４または３５に記載の方法。
【０１７０】
本開示では、以下の短縮形のうちの少なくともいくつかが使用され得る。短縮形の間に不整合がある場合には、上記で使用されている様子を優先させるべきである。以下で複数回列記されている場合には、最初のものが最も望ましい。
・２Ｇ  第２世代
・３Ｇ  第３世代
・３ＧＰＰ  第３世代パートナーシッププロジェクト
・４Ｇ  第４世代
・５Ｇ  第５世代
・ＡＣ  交流
・ＡＣＫ  肯定応答
・ＡＰ  アクセスポイント
・ＡＳＩＣ  特定用途向け集積回路
・ＡＴＭ  非同期転送モード
・ＢＳ  基地局
・ＢＳＣ  基地局コントローラ
・ＢＴＳ  ベーストランシーバ基地局
・ＣＤ  コンパクトディスク
・ＣＤＭＡ  符号分割多元接続
・ＣＯＴＳ  民生品
・ＣＰＥ  顧客構内機器
・ＣＰＵ  中央処理装置
・Ｄ２Ｄ  デバイス間
・ＤＡＳ  分散型アンテナシステム
・ＤＣ  直流
・ＤＣＩ  ダウンリンク制御情報
・ＤＩＭＭ  デュアルインラインメモリモジュール
・ＤＭ−ＲＳ  復調用参照信号
・ＤＳＰ  デジタル信号プロセッサ
・ＤＶＤ  デジタルビデオティスク
・ＥＥＰＲＯＭ  電気的消去可能プログラム可能読取り専用メモリ
・ｅＭＴＣ  拡張マシンタイプ通信
・ｅＮＢ  拡張またはエボルブドノードＢ
・ＥＰＲＯＭ  消去可能プログラム可能読取り専用メモリ
・Ｅ−ＳＭＬＣ  エボルブドサービングモバイルロケーションセンタ
・ＦＰＧＡ  フィールドプログラマブルゲートアレイ
・ＧＨｚ  ギガヘルツ
・ｇＮＢ  新無線基地局
・ＧＰＳ  全地球測位システム
・ＧＳＭ  モバイル通信用グローバルシステム
・ＨＤＤＳ  ホログラフィックデジタルデータ記憶
・ＨＤ−ＤＶＤ  高密度デジタル多用途ディスク
・Ｉ／Ｏ  入出力
・ＩｏＴ  モノのインターネット
・ＩＰ  インターネットプロトコル
・ｋＨｚ  キロヘルツ
・ＬＡＮ  ローカルエリアネットワーク
・ＬＥＥ  ラップトップ組込型機器
・ＬＭＥ  ラップトップ搭載型機器
・ＬＴＥ  Ｌｏｎｇ  Ｔｅｒｍ  Ｅｖｏｌｕｔｉｏｎ
・Ｍ２Ｍ  マシン間
・ＭＡＣ  メディアアクセス制御
・ＭＡＮＯ  管理および編成
・ＭＣＥ  マルチセル／マルチキャスト協調エンティティ
・ＭＤＴ  運転テストの最小化
・ＭＩＭＯ  多重入出力
・ＭＭＥ  モビリティ管理エンティティ
・ｍｓ  ミリ秒
・ＭＳＣ  移動交換センタ
・ＭＳＲ  マルチスタンダード無線
・ＭＴＣ  マシンタイプ通信
・ＮＡＣＫ  否定応答
・ＮＢ−ＩｏＴ  狭帯域のモノのインターネット
・ＮＦＶ  ネットワーク機能の仮想化
・ＮＩＣ  ネットワークインターフェースコントローラ
・ＮＲ  新無線
・Ｏ＆Ｍ  運用および保守
・ＯＦＤＭＡ  直交周波数分割多元接続
・ＯＳＳ  運用支援システム
・ＯＴＴ  オーバーザトップ
・ＰＤＡ  携帯情報端末
・ＰＤＣＣＨ  物理ダウンリンク制御チャネル
・ＰＤＳＣＨ  物理ダウンリンク共有チャネル
・ＰＲＯＭ  プログラム可能読取り専用メモリ
・ＰＳＴＮ  公衆スイッチ電話ネットワーク
・ＰＵＳＣＨ  物理アップリンク共有チャネル
・ＲＡＩＤ  独立ディスクの冗長アレイ
・ＲＡＭ  ランダムアクセスメモリ
・ＲＡＮ  無線アクセスネットワーク
・ＲＡＲ  ランダムアクセス応答
・ＲＡＴ  無線アクセス技術
・ＲＦ  無線周波数
・ＲＮＣ  無線ネットワークコントローラ
・ＲＯＭ  読取り専用メモリ
・ＲＲＣ  無線リソース制御
・ＲＲＨ  リモート無線ヘッド
・ＲＲＵ  リモートラジオユニット
・ＲＵＩＭ  取外し可能ユーザアイデンティティ
・ＳＤＲＡＭ  同期型ダイナミックランダムアクセスメモリ
・ＳＩＢ  システム情報ブロック
・ＳＩＭ  加入者識別モジュール
・ＳＯＣ  システムオンチップ
・ＳＯＮ  自己最適化ネットワーク
・ＳＯＮＥＴ  同期型光ネットワーキング
・ＴＡ  タイミングアドバンス
・ＴＣＰ  送信制御プロトコル
・ＴＳ  技術仕様
・ＵＥ  ユーザ機器
・ＵＭＴＳ  汎用移動体遠隔通信システム
・ＵＳＢ  汎用シリアルバス
・ＵＴＲＡＮ  汎用地上波無線アクセスネットワーク
・Ｖ２Ｉ  路車間
・Ｖ２Ｖ  車車間
・Ｖ２Ｘ  車車間・路車間
・ＶＭＭ  仮想コンピュータモニタ
・ＶＮＥ  仮想ネットワーク要素
・ＶＮＦ  仮想ネットワーク機能
・ＶｏＩＰ  ボイスオーバインターネットプロトコル
・ＷＡＮ  広域ネットワーク
・ＷＣＤＭＡ  広帯域符号分割多元接続
・ＷＤ  無線デバイス
・ＷｉＭａｘ  ワイマックス
・ＷＬＡＮ  無線ローカルエリアネットワーク
【０１７１】
当業者なら、本開示の実施形態に対する改善および変更形態を明確に理解するであろう。そのような改善および変更形態のすべてが、本明細書で開示した概念の範囲内にあると見なされる。
【図１】
0006782373.tif 000042
【図２】
0006782373.tif 000043
【図３】
0006782373.tif 000044
【図４】
0006782373.tif 000045
【図５】
0006782373.tif 000046
【図６】
0006782373.tif 000047
【図７】
0006782373.tif 000048
【図８】
0006782373.tif 000049
【図９】
0006782373.tif 000050
【図１０】
0006782373.tif 000051
【図１１】
0006782373.tif 000052
【図１２】
0006782373.tif 000053
【図１３】
0006782373.tif 000054